(57)【要約】【課題】いずれの伝送端末を利用して、誰が会議に参加しているのかを他の会議参加者が容易に把握することのできる伝送システムを提供する。【解決手段】伝送端末から、伝送端末を利用するユーザのユーザ識別情報を受信する第１受信部と、ユーザ識別情報を、当該ユーザ識別情報の送信元の伝送端末識別情報に対応付けて、第１記憶部に記憶するユーザ識別情報管理部と、第１受信部が所定の伝送端末から提示要求を受信した場合に、第１記憶部を参照し、伝送中の伝送端末の伝送端末識別情報と、当該伝送端末識別情報に対応付けられているユーザ識別情報とを抽出する第１抽出部と、抽出された伝送端末識別情報と、ユーザ識別情報とを対応付けて提示要求の送信元の伝送端末に送信する第２送信部とを備える。【選択図】図７
2014060548.tif 000002
【特許請求の範囲】
【請求項１】
複数の伝送端末と、前記伝送端末を管理する伝送管理システムとを備えた伝送システムであって、
前記伝送端末は、
ユーザを識別するユーザ識別情報を記憶する機器から前記ユーザ識別情報を取得する取得部と、
前記ユーザ識別情報を前記伝送管理システムに送信する第１送信部と
を有し、
前記伝送管理システムは、
前記伝送端末を識別する伝送端末識別情報と、前記伝送端末が伝送中であるか否かを示す伝送状態とを対応付けて記憶する第１記憶部と、
前記伝送端末から、前記ユーザ識別情報を受信する第１受信部と、
前記ユーザ識別情報を、当該ユーザ識別情報の送信元の前記伝送端末の前記伝送端末識別情報に対応付けて、前記第１記憶部に記憶するユーザ識別情報管理部と
を有し、
前記伝送端末の前記第１送信部は、伝送中の前記伝送端末に関する情報の提示要求を前記伝送管理システムに送信し、
前記伝送管理システムは、
前記第１受信部が所定の前記伝送端末から前記提示要求を受信した場合に、前記第１記憶部を参照し、伝送中の前記伝送端末の前記伝送端末識別情報と、当該伝送端末識別情報に対応付けられている前記ユーザ識別情報とを抽出する第１抽出部と、
抽出された前記伝送端末識別情報と、前記ユーザ識別情報とを対応付けて前記提示要求の送信元の前記伝送端末に送信する第２送信部と
をさらに有し、
前記伝送端末は、
前記伝送端末識別情報と、前記ユーザ識別情報とを受信する第２受信部と、
前記第２受信部が受信した前記伝送端末識別情報と、前記ユーザ識別情報とを対応付けて表示部に表示する表示制御部と
をさらに有することを特徴とする伝送システム。
【請求項２】
前記機器は、前記伝送端末と無線通信可能なタグであり、
前記取得部は、前記タグから無線通信により、前記ユーザ識別情報を受信することを特徴とする請求項１に記載の伝送システム。
【請求項３】
前記無線通信は、電磁誘導を利用したものであることを特徴とする請求項２に記載の伝送システム。
【請求項４】
前記無線通信は、マイクロ波を利用したものであることを特徴とする請求項２に記載の伝送システム。
【請求項５】
前記伝送管理システムは、
所定の伝送端末との伝送要求の要求元の前記伝送端末である要求元端末の前記伝送端末識別情報と、前記伝送要求の宛先の前記伝送端末である宛先端末の前記伝送端末識別情報と、前記宛先端末の端末名とを対応付けて記憶する第２記憶部と、
前記第１受信部が所定の前記伝送端末から前記提示要求を受信した場合に、前記第２記憶部を参照し、前記提示要求の送信元の前記伝送端末を前記要求元端末とする前記宛先端末の前記伝送端末識別情報と、前記宛先端末の前記端末名とを抽出する第２抽出部と
をさらに有し、
前記伝送管理システムの前記第２送信部は、前記第１抽出部により抽出された前記伝送端末識別情報が前記第２抽出部により抽出された前記宛先端末の前記伝送端末識別情報と一致する場合に、前記宛先端末の前記伝送端末識別情報と、前記宛先端末の前記端末名と、前記ユーザ識別情報とを対応付けて、前記送信元の前記伝送端末に送信することを特徴とする請求項１に記載の伝送システム。
【請求項６】
前記伝送端末は、
ユーザから前記提示要求の入力を受け付ける入力受付部をさらに備え、
前記第１送信部は、前記入力受付部が前記提示要求の入力を受け付けた場合に、前記提示要求を前記伝送管理システムに送信することを特徴とする請求項１に記載の伝送システム。
【請求項７】
伝送管理システムにより伝送状態が管理される伝送端末であって、
当該伝送端末を用いて伝送に参加するユーザを識別するユーザ識別情報を記憶する機器から前記ユーザ識別情報を取得する取得部と、
前記ユーザ識別情報を前記伝送管理システムに送信し、かつユーザからの指示にしたがい、伝送中の端末に関する情報の提示要求を前記伝送システムに送信する送信部と、
前記伝送システムから前記提示要求に対する応答として、伝送中の前記伝送端末の前記伝送端末識別情報と、当該伝送端末識別情報に対応付けられている前記ユーザ識別情報とを受信する受信部と、
前記受信部が受信した前記伝送端末識別情報と、前記ユーザ識別情報とを対応付けて表示部に表示する表示制御部と
を備えることを特徴とする伝送端末。
【請求項８】
複数の伝送端末を管理する伝送管理システムであって、
前記伝送端末を識別する伝送端末識別情報と、前記伝送端末が伝送中であるか否かを示す伝送状態とを対応付けて記憶する記憶部と、
前記伝送端末において、当該伝送端末を用いて伝送に参加するユーザを識別するユーザ識別情報を記憶する機器から読み取られた前記ユーザ識別情報を受信する受信部と、
前記ユーザ識別情報を、当該ユーザ識別情報の送信元の前記伝送端末の前記伝送端末識別情報に対応付けて、前記第１記憶部に記憶するユーザ識別情報管理部と、
前記受信部が所定の前記伝送端末から、伝送中の前記伝送端末に関する情報の提示要求を受信した場合に、前記記憶部を参照し、伝送中の前記伝送端末の前記伝送端末識別情報と、当該伝送端末識別情報に対応付けられている前記ユーザ識別情報とを抽出する抽出部と、
抽出された前記伝送端末識別情報と、前記ユーザ識別情報とを対応付けて前記提示要求の送信元の前記伝送端末に送信する送信部と
を備えることを特徴とする伝送管理システム。
【請求項９】
伝送管理システムにより伝送状態が管理されるコンピュータを、
当該伝送端末を用いて伝送に参加するユーザを識別するユーザ識別情報を記憶する機器から前記ユーザ識別情報を取得する取得部と、
前記ユーザ識別情報を前記伝送管理システムに送信し、かつユーザからの指示にしたがい、伝送中の端末に関する情報の提示要求を前記伝送システムに送信する送信部と、
前記伝送システムから前記提示要求に対する応答として、伝送中の前記伝送端末の前記伝送端末識別情報と、当該伝送端末識別情報に対応付けられている前記ユーザ識別情報とを受信する受信部と、
前記受信部が受信した前記伝送端末識別情報と、前記ユーザ識別情報とを対応付けて表示部に表示する表示制御部と
して機能させるためのプログラム。
【請求項１０】
管理対象とする伝送端末を識別する伝送端末識別情報と、前記伝送端末が伝送中であるか否かを示す伝送状態とを対応付けて記憶する記憶部を備えたコンピュータを、
前記伝送端末において、当該伝送端末を用いて伝送に参加するユーザを識別するユーザ識別情報を記憶する機器から読み取られた前記ユーザ識別情報を受信する受信部と、
前記ユーザ識別情報を、当該ユーザ識別情報の送信元の前記伝送端末の前記伝送端末識別情報に対応付けて、前記第１記憶部に記憶するユーザ識別情報管理部と、
前記受信部が所定の前記伝送端末から、伝送中の前記伝送端末に関する情報の提示要求を受信した場合に、前記記憶部を参照し、伝送中の前記伝送端末の前記伝送端末識別情報と、当該伝送端末識別情報に対応付けられている前記ユーザ識別情報とを抽出する抽出部と、
抽出された前記伝送端末識別情報と、前記ユーザ識別情報とを対応付けて前記提示要求の送信元の前記伝送端末に送信する送信部と
して機能させるためのプログラム。
【発明の詳細な説明】
【技術分野】
【０００１】
本発明は、伝送システム、伝送端末、伝送管理システムおよびプログラムに関する。
【背景技術】
【０００２】
遠隔会議システムは、遠隔会議の出席者がいる会議室において、出席者を撮影したり、出席者の発言等を集音したりすることにより画像や音を収集し、収集した画像や音を伝送端末によってデジタルデータに変換して相手方の伝送端末に送信し、相手方の会議室のビデオ画面等のディスプレイに画像を表示させたり、スピーカから音を出力させたりして、実際の会議に近い状態を実現する。
【０００３】
このような遠隔会議システムにおいて、会議に参加する全ての伝送端末と中継装置とを接続し、中継装置が各伝送端末に対して、画像データと音データとの配信を制御することによって多拠点間で遠隔会議を実現する技術が既に知られている。
【０００４】
また、多拠点間で行う遠隔会議において、所定の伝送端末を利用するユーザが、会議中に、他の伝送端末を利用して誰が会議に参加しているかを知るために、会議参加予定者の一覧を伝送端末の画面に表示する技術も知られている。例えば、特許文献１には、会議を行っている拠点システムの場所情報と、各拠点の会議参加者の画像（顔画像）とを対応付けて表示する技術が開示されている。さらに、特許文献１には、ＩＣカードに記録された会議参加者の画像を、会議参加時に読み込むことにより、既に会議に参加しているユーザの顔画像を表示し、参加していないユーザについては、氏名だけを表示する技術も開示されている。
【発明の概要】
【発明が解決しようとする課題】
【０００５】
しかしながら、従来技術においては、予め参加者を登録しておく必要があり、予定していない未登録参加者が会議に参加した場合、未登録であるために、未登録参加者が誰であるのかを、他の伝送端末を利用している参加者に把握させることができなくなってしまうという問題があった。
【０００６】
このため、他の伝送端末を利用している参加者は、誰が会議に参加しているのかを把握するためには、相手側の拠点に音声で確認するなどの作業を行う必要があった。
【０００７】
本発明は、上記に鑑みてなされたものであって、いずれの伝送端末を利用して、誰が会議に参加しているのかを利用者が容易に把握することのできる伝送システム、伝送端末、伝送管理システムおよびプログラムを提供することを目的とする。
【課題を解決するための手段】
【０００８】
上述した課題を解決し、目的を達成するために、本発明は、複数の伝送端末と、前記伝送端末を管理する伝送管理システムとを備えた伝送システムであって、前記伝送端末は、ユーザを識別するユーザ識別情報を記憶する機器から前記ユーザ識別情報を取得する取得部と、前記ユーザ識別情報を前記伝送管理システムに送信する第１送信部とを有し、前記伝送管理システムは、前記伝送端末を識別する伝送端末識別情報と、前記伝送端末が伝送中であるか否かを示す伝送状態とを対応付けて記憶する第１記憶部と、前記伝送端末から、前記ユーザ識別情報を受信する第１受信部と、前記ユーザ識別情報を、当該ユーザ識別情報の送信元の前記伝送端末の前記伝送端末識別情報に対応付けて、前記第１記憶部に記憶するユーザ識別情報管理部とを有し、前記伝送端末の前記第１送信部は、伝送中の前記伝送端末に関する情報の提示要求を前記伝送管理システムに送信し、前記伝送管理システムは、前記第１受信部が所定の前記伝送端末から前記提示要求を受信した場合に、前記第１記憶部を参照し、伝送中の前記伝送端末の前記伝送端末識別情報と、当該伝送端末識別情報に対応付けられている前記ユーザ識別情報とを抽出する第１抽出部と、抽出された前記伝送端末識別情報と、前記ユーザ識別情報とを対応付けて前記提示要求の送信元の前記伝送端末に送信する第２送信部とをさらに有し、前記伝送端末は、前記伝送端末識別情報と、前記ユーザ識別情報とを受信する第２受信部と、前記第２受信部が受信した前記伝送端末識別情報と、前記ユーザ識別情報とを対応付けて表示部に表示する表示制御部とをさらに有することを特徴とする。
【０００９】
また、本発明は、伝送管理システムにより伝送状態が管理される伝送端末であって、当該伝送端末を用いて伝送に参加するユーザを識別するユーザ識別情報を記憶する機器から前記ユーザ識別情報を取得する取得部と、前記ユーザ識別情報を前記伝送管理システムに送信し、かつユーザからの指示にしたがい、伝送中の前記伝送端末に関する情報の提示要求を前記伝送システムに送信する送信部と、前記伝送システムから前記提示要求に対する応答として、伝送中の前記伝送端末の前記伝送端末識別情報と、当該伝送端末識別情報に対応付けられている前記ユーザ識別情報とを受信する受信部と、前記受信部が受信した前記伝送端末識別情報と、前記ユーザ識別情報とを対応付けて表示部に表示する表示制御部とを備えることを特徴とする。
【００１０】
また、本発明は、複数の伝送端末を管理する伝送管理システムであって、前記伝送端末を識別する伝送端末識別情報と、前記伝送端末が伝送中であるか否かを示す伝送状態とを対応付けて記憶する記憶部と、前記伝送端末において、当該伝送端末を用いて伝送に参加するユーザを識別するユーザ識別情報を記憶する機器から読み取られた前記ユーザ識別情報を受信する受信部と、前記ユーザ識別情報を、当該ユーザ識別情報の送信元の前記伝送端末の前記伝送端末識別情報に対応付けて、前記第１記憶部に記憶するユーザ識別情報管理部と、前記受信部が所定の前記伝送端末から、伝送中の前記伝送端末に関する情報の提示要求を受信した場合に、前記記憶部を参照し、伝送中の前記伝送端末の前記伝送端末識別情報と、当該伝送端末識別情報に対応付けられている前記ユーザ識別情報とを抽出する抽出部と、抽出された前記伝送端末識別情報と、前記ユーザ識別情報とを対応付けて前記提示要求の送信元の前記伝送端末に送信する送信部とを備えることを特徴とする。
【００１１】
また、本発明は、プログラムであって、伝送管理システムにより伝送状態が管理されるコンピュータを、当該伝送端末を用いて伝送に参加するユーザを識別するユーザ識別情報を記憶する機器から前記ユーザ識別情報を取得する取得部と、前記ユーザ識別情報を前記伝送管理システムに送信し、かつユーザからの指示にしたがい、伝送中の前記伝送端末に関する情報の提示要求を前記伝送システムに送信する送信部と、前記伝送システムから前記提示要求に対する応答として、伝送中の前記伝送端末の前記伝送端末識別情報と、当該伝送端末識別情報に対応付けられている前記ユーザ識別情報とを受信する受信部と、前記受信部が受信した前記伝送端末識別情報と、前記ユーザ識別情報とを対応付けて表示部に表示する表示制御部として機能させるためのプログラムである。
【００１２】
また、本発明は、管理対象とする伝送端末を識別する伝送端末識別情報と、前記伝送端末が伝送中であるか否かを示す伝送状態とを対応付けて記憶する記憶部を備えたコンピュータを、前記伝送端末において、当該伝送端末を用いて伝送に参加するユーザを識別するユーザ識別情報を記憶する機器から読み取られた前記ユーザ識別情報を受信する受信部と、前記ユーザ識別情報を、当該ユーザ識別情報の送信元の前記伝送端末の前記伝送端末識別情報に対応付けて、前記第１記憶部に記憶するユーザ識別情報管理部と、前記受信部が所定の前記伝送端末から、伝送中の前記伝送端末に関する情報の提示要求を受信した場合に、前記記憶部を参照し、伝送中の前記伝送端末の前記伝送端末識別情報と、当該伝送端末識別情報に対応付けられている前記ユーザ識別情報とを抽出する抽出部と、抽出された前記伝送端末識別情報と、前記ユーザ識別情報とを対応付けて前記提示要求の送信元の前記伝送端末に送信する送信部として機能させるためのプログラムである。
【発明の効果】
【００１３】
本発明によれば、いずれの伝送端末を利用して、誰が会議に参加しているのかを他の会議参加者が容易に把握することができるという効果を奏する。
【図面の簡単な説明】
【００１４】
【図１】伝送システムの概略構成図である。
【図２】伝送システムにおける画像データ、音データ及び各種管理情報の送受信の状態を示した概念図である。
【図３】画像データの画質を説明するための概念図である。
【図４】伝送端末の外観図である。
【図５】伝送端末のハードウェア構成図である。
【図６】伝送管理装置、中継装置又はプログラム提供装置のハードウェア構成図である。
【図７】伝送端末及び伝送管理システムの機能ブロック図である。
【図８】ＮＦＣタグの記憶部の概念図である。
【図９】端末認証管理テーブルの概念図である。
【図１０】端末管理テーブルの概念図である。
【図１１】宛先リスト管理テーブルの概念図である。
【図１２】伝送システムの準備段階動作を示すシーケンス図である。
【図１３】伝送システムの会議参加動作を示すシーケンス図である。
【図１４】伝送システムのデータ伝送動作を示すシーケンス図である。
【図１５】ビデオ会議の参加者の情報を表示する動作を示すシーケンス図である。
【図１６】更新後の端末管理テーブルの概念図である。
【図１７】全画面表示モードの表示画面を示す概念図である。
【図１８】表示切替動作を示すシーケンス図である。
【図１９】情報表示モードの表示画面を示す概念図である。
【図２０】ユーザが会議に参加してから退出するまでの通信状態を示す遷移図である。
【図２１】参加者情報の表示動作を示したシーケンス図である。
【図２２】ユーザ名テーブルの概念図である。
【図２３】退出者情報の表示動作を示したシーケンス図である。
【図２４】宛先リストの表示例を示す図である。
【図２５】参加者名を表示する動作を示すシーケンス図である。
【図２６】参加者名が追加された宛先リストの表示例を示す図である。
【図２７】所定の宛先端末の参加者名を表示する動作を示すシーケンス図である。
【図２８】所定の宛先端末の参加者名が追加された宛先リストの表示例を示す図である。
【図２９】他の例にかかる、宛先リストの表示例を示す図である。
【発明を実施するための形態】
【００１５】
以下に添付図面を参照して、伝送システム、伝送端末、伝送管理システムおよびプログラムの実施の形態を詳細に説明する。
【００１６】
（第１の実施の形態）
＜＜実施形態の全体構成＞＞
図１は、第１の実施形態に係る伝送システム１の概略図である。図２は、伝送システム１における画像データ、音データ及び各種管理情報の送受信の状態を示した概念図である。図３は、画像データの画質を説明する概念図である。
【００１７】
また、伝送システムには、伝送管理装置を介して一方の伝送端末から複数の伝送端末に一方向でコンテンツデータを伝送するデータ提供システムや、伝送管理装置を介して複数の伝送端末間で情報や感情等を相互に伝達するコミュニケーションシステムが含まれる。コミュニケーションシステムは、コミュニケーション管理装置（「伝送管理装置」に相当）を介して複数のコミュニケーション端末（「伝送端末」に相当）間で情報や感情等を相互に伝達するためのシステムであり、ビデオ会議システムやビデオ電話システム等が例として挙げられる。
【００１８】
本実施形態では、コミュニケーションシステムの一例としてのビデオ会議システム、コミュニケーション管理装置の一例としてのビデオ会議管理装置及びコミュニケーション端末の一例としてのビデオ会議端末を想定した上で、伝送システム、伝送管理装置及び伝送端末について説明する。即ち、本発明の伝送端末及び伝送管理装置は、ビデオ会議システムに適用されるだけでなく、コミュニケーションシステム、又はデータ伝送システムにも適用される。
【００１９】
図１に示すように、伝送システム１は、複数の伝送端末１０ａａ、１０ａｂ、・・・と、各伝送端末１０ａａ、１０ａｂ、・・・用のディスプレイ１２０ａａ、１２０ａｂ、・・・と、中継装置３０と、伝送管理システムとしての伝送管理装置５０と、プログラム提供装置９０と、を備えている。伝送端末１０ａａ、１０ａｂ、・・・は、コンテンツデータとして、例えば、画像データ及び音データの送受信による伝送を行うようになっている。
【００２０】
なお、以下の説明において、複数の伝送端末１０ａａ、１０ａｂ、・・・のうち、任意の伝送端末は、「伝送端末１０」と表され、複数のディスプレイ１２０ａａ、１２０ａｂ、・・・のうち、任意のディスプレイは、「ディスプレイ１２０」と表される。また、ビデオ会議の開始を要求する要求元の伝送端末１０は、「要求元端末」と表され、要求先の伝送端末１０は、「宛先端末」と表される。
【００２１】
図２に示すように、伝送システム１において、要求元端末と宛先端末との間では、伝送管理装置５０を介して、各種の管理情報を送受信するための管理情報用セッションｓｅｉが確立される。
【００２２】
また、管理情報用セッションｓｅｉが確立した伝送端末１０間では、中継装置３０を介して、高解像度の画像データ、中解像度の画像データ、低解像度の画像データ及び音データの４つの各データを送受信するための４つのセッションが確立される。なお、本実施形態において、これら４つのセッションは、まとめて、「画像・音データ用セッションｓｅｄ」と表される。
【００２３】
ここで、本実施形態で扱われる画像データは、スケーラブルに符号化されている。例えば、本実施形態で扱われる画像データは、図３（ａ）に示すように、横が３２０画素、縦が１８０画素から成り、ベース画像となる低解像度の画像データと、図３（ｂ）に示すように、横が６４０画素、縦が３６０画素から成る中解像度の画像データと、図３（ｃ）に示すように、横が１２８０画素、縦が７２０画素から成る高解像度の画像データとがある。
【００２４】
ここで、画像データが伝送される経由する帯域が狭い場合には、ベース画像となる低解像度の画像データのみが伝送され、受信側の伝送端末１０は、伝送された低解像度の画像データに基づいて、低画質の画像のみを表示することができる。
【００２５】
また、画像データが伝送される経由する帯域が比較的広い場合には、ベース画像となる低解像度の画像データ及び中解像度の画像データが伝送され、受信側の伝送端末１０は、伝送された低解像度の画像データ及び中解像度の画像データに基づいて、中画質の画像を表示することができる。
【００２６】
また、画像データが伝送される経由する帯域が非常に広い場合には、ベース画質となる低解像度の画像データ、中解像度の画像データ及び高解像度の画像データが伝送され、受信側の伝送端末１０は、伝送された低解像度の画像データ、中解像度の画像データ及び高解像度の画像データに基づいて、高画質の画像を表示することができる。
【００２７】
図１において、中継装置３０は、複数の伝送端末１０の間で、コンテンツデータの中継を行うようになっている。伝送管理装置５０は、伝送端末１０からのログイン認証、伝送端末１０の伝送状態の管理、宛先リストの管理等及び中継装置３０の伝送状況等を一元的に管理するようになっている。なお、画像データが表す画像は、動画であっても静止画であってもよく、動画と静止画との両方であってもよい。
【００２８】
複数のルータ７０ａ、７０ｂ、７０ｃ、７０ｄ、７０ａｂ、７０ｃｄは、画像データ及び音データの最適な経路の選択を行う。なお、以下の説明において、ルータ７０ａ、７０ｂ、７０ｃ、７０ｄ、７０ａｂ、７０ｃｄのうち、任意のルータは、「ルータ７０」と表される。
【００２９】
プログラム提供装置９０は、後述するＨＤ（Hard Disk）２０４を備えており、伝送端末１０に各種機能を実現させるための伝送端末制御プログラムが記憶され、伝送端末制御プログラムを伝送端末１０に送信することができる。
【００３０】
また、プログラム提供装置９０のＨＤ２０４には、中継装置３０に各種機能を実現させるための中継装置用プログラムも記憶されており、中継装置用プログラムを中継装置３０に送信することができる。
【００３１】
更に、プログラム提供装置９０のＨＤ２０４には、伝送管理装置５０に各種機能を実現させるための伝送管理プログラムも記憶されており、伝送管理プログラムを伝送管理装置５０に送信することができる。
【００３２】
伝送端末１０ａａ、１０ａｂ、１０ａｃ、・・・及びルータ７０ａは、ＬＡＮ２ａによって伝送可能に接続されている。伝送端末１０ｂａ、１０ｂｂ、１０ｂｃ、・・・及びルータ７０ｂは、ＬＡＮ２ｂによって伝送可能に接続されている。
【００３３】
また、ＬＡＮ２ａ及びＬＡＮ２ｂは、ルータ７０ａｂが含まれた専用線２ａｂによって伝送可能に接続されており、所定の地域Ａ内に設けられている。例えば、地域Ａは、日本であり、ＬＡＮ２ａは東京の事業所内に設けられ、ＬＡＮ２ｂは大阪の事業所内に設けられている。
【００３４】
一方、伝送端末１０ｃａ、１０ｃｂ、１０ｃｃ、・・・及びルータ７０ｃは、ＬＡＮ２ｃによって伝送可能に接続されている。伝送端末１０ｄａ、１０ｄｂ、１０ｄｃ、・・・及びルータ７０ｄは、ＬＡＮ２ｄによって伝送可能に接続されている。
【００３５】
また、ＬＡＮ２ｃ及びＬＡＮ２ｄは、ルータ７０ｃｄが含まれた専用線２ｃｄによって伝送可能に接続されており、所定の地域Ｂ内に設けられている。例えば、地域Ｂはアメリカ合衆国であり、ＬＡＮ２ｃはニューヨークの事業所内に設けられ、ＬＡＮ２ｄはワシントンＤ．Ｃ．の事業所内に設けられている。地域Ａ及び地域Ｂは、それぞれルータ７０ａｂ、７０ｃｄからインターネット２ｉを介して相互に伝送可能に接続されている。
【００３６】
また、中継装置３０、伝送管理装置５０及びプログラム提供装置９０は、インターネット２ｉを介して、各伝送端末１０と伝送可能に接続されている。ここで、中継装置３０、伝送管理装置５０及びプログラム提供装置９０は、地域Ａ又は地域Ｂに設置されていてもよいし、これら以外の地域に設置されていてもよい。
【００３７】
なお、本実施形態では、ＬＡＮ２ａ、ＬＡＮ２ｂ、専用線２ａｂ、インターネット２ｉ、専用線２ｃｄ、ＬＡＮ２ｃ及びＬＡＮ２ｄによって、本実施形態の伝送ネットワーク２が構成されている。伝送ネットワーク２には、有線だけでなく、ＷｉＦｉ（Wireless  Fidelity）や、Ｂｌｕｅｔｏｏｔｈ（登録商標）等の無線による伝送が行われる箇所があってもよい。
【００３８】
また、図１において、各伝送端末１０、中継装置３０、伝送管理装置５０、各ルータ７０及びプログラム提供装置９０の下に示されている４組の数字は、一般的なＩＰｖ４におけるＩＰアドレスを簡易的に示している。例えば、伝送端末１０ａａのＩＰアドレスは「１．２．１．３」である。また、ＩＰｖ４ではなく、ＩＰｖ６を用いてもよいが、説明を簡略化するため、ＩＰｖ４を用いて説明する。
【００３９】
なお、各伝送端末１０は、複数の事業所間でのビデオ会議や、同じ事業所内の異なる部屋間でのビデオ会議だけでなく、同じ部屋内でのビデオ会議や、屋外と屋内又は屋外と屋外でのビデオ会議で使われてもよい。各伝送端末１０が屋外で使われる場合には、携帯電話伝送網等の無線による伝送が行われる。
【００４０】
＜＜実施形態のハードウェア構成＞＞
図４に示すように、伝送端末１０は、筐体１１００、アーム１２００、及びカメラハウジング１３００を備えている。このうち、筐体１１００の前側壁面１１１０には、複数の吸気孔によって形成された不図示の吸気面が設けられており、筐体１１００の後側壁面１１２０には、複数の排気孔が形成された排気面１１２１が設けられている。これにより、筐体１１００に内蔵された冷却ファンの駆動によって、不図示の吸気面を介して伝送端末１０の後方の外気を取り込み、排気面１１２１を介して伝送端末１０の後方へ排気することができる。筐体１１００の右側壁面１１３０には、収音用孔１１３１が形成され、後述する内蔵型のマイク１１４によって音声、物音、雑音等の音が収音可能となっている。
【００４１】
筐体１１００の右側壁面１１３０側には、操作パネル１１５０が形成されている。この操作パネル１１５０には、後述の複数の操作ボタン（１０８ａ〜１０８ｅ）、後述の電源スイッチ１０９、及び後述のアラームランプ１１９が設けられていると共に、後述の内蔵型のスピーカ１１５からの出力音を通すための複数の音声出力孔によって形成された音出面１１５１が形成されている。
【００４２】
また、筐体１１００の左側壁面１１４０側には、アーム１２００及びカメラハウジング１３００を収容するための凹部としての収容部１１６０が形成されている。筐体１１００の右側壁面１１３０には、後述の外部機器接続Ｉ／Ｆ１１８に対して電気的にケーブルを接続するための複数の接続口（１１３２ａ〜１１３２ｃ）が設けられている。一方、筐体１１００の左側壁面１１４０には、後述の外部機器接続Ｉ／Ｆ１１８に対して電気的にディスプレイ１２０用のケーブル１２０ｃを接続するための不図示の接続口が設けられている。
【００４３】
なお、以下では、操作ボタン（１０８ａ〜１０８ｅ）のうち任意の操作ボタンを示す場合には「操作ボタン１０８」を用い、接続口（１１３２ａ〜１１３２ｃ）のうち任意の接続口を示す場合には「接続口１１３２」を用いて説明する。
【００４４】
次に、アーム１２００は、トルクヒンジ１２１０を介して筐体１１００に取り付けられており、アーム１２００が筐体１１００に対して、１３５度のチルト角θ１の範囲で、上下方向に回転可能に構成されている。図２は、チルト角θ１が９０度の状態を示している。
【００４５】
カメラハウジング１３００には、後述の内蔵型のカメラ１１２が設けられており、利用者、書類、及び部屋等を撮像することができる。また、カメラハウジング１３００には、トルクヒンジ１３１０が形成されている。カメラハウジング１３００は、トルクヒンジ１３１０を介して、アーム１２００に取り付けられている。そして、カメラハウジング１３００は、トルクヒンジ１３１０を介してアーム１２００に取り付けられており、カメラハウジング１３００がアーム１２００に対して、図２で示されている状態を０度として±１８０度のパン角θ２の範囲で、且つ、±４５度のチルト角θ３の範囲で、上下左右方向に回転可能に構成されている。
【００４６】
なお、他の例としては、端末１０は、一般の汎用コンピュータであってもよい。端末１０として用いるコンピュータに、マイクやカメラが備わっていない場合には、外付けのマイクおよびカメラをコンピュータに接続させることとする。これにより、汎用コンピュータを、本実施の形態にかかる端末１０として利用することができる。また、端末１０として汎用コンピュータを用いる場合には、当該コンピュータに後述する端末１０の処理を実行するためのアプリケーションをインストールしておくこととする。
【００４７】
図５に示すように、伝送端末１０は、伝送端末１０全体の動作を制御するＣＰＵ（Central  Processing  Unit）１０１と、ＩＰＬ（Initial  Program  Loader）等のＣＰＵ１０１の駆動に用いられるプログラムを記憶したＲＯＭ（Read  Only  Memory）１０２と、ＣＰＵ１０１のワークエリアとして使用されるＲＡＭ（Random  Access  Memory）１０３と、伝送端末制御プログラム、画像データ及び音データ等の各種データを記憶するフラッシュメモリ１０４と、ＣＰＵ１０１の制御にしたがってフラッシュメモリ１０４に対する各種データの読み出し又は書き込みを制御するＳＳＤ（Solid  State  Drive）１０５と、フラッシュメモリ等の記録メディア１０６に対するデータの読み出し又は書き込み（記憶）を制御するメディアドライブ１０７と、伝送端末１０の宛先を選択する場合などに操作される操作ボタン１０８と、伝送端末１０の電源のＯＮ／ＯＦＦを切り換えるための電源スイッチ１０９と、伝送ネットワーク２を利用してデータ伝送をするためのネットワークＩ／Ｆ（Interface）１１１とを備えている。
【００４８】
また、伝送端末１０は、ＣＰＵ１０１の制御に従って被写体を撮像して画像データを得る内蔵型のカメラ１１２と、カメラ１１２の駆動を制御する撮像素子Ｉ／Ｆ１１３と、音を入力する内蔵型の集音装置としてのマイク１１４と、音を出力する内蔵型のスピーカ１１５と、ＣＰＵ１０１の制御に従ってマイク１１４及びスピーカ１１５との間で音信号の入出力を処理する音入出力Ｉ／Ｆ１１６と、ＣＰＵ１０１の制御に従って外付けのディスプレイ１２０に画像データを伝送するディスプレイＩ／Ｆ１１７と、各種の外部機器を接続するための外部機器接続Ｉ／Ｆ１１８と、非接触ＩＣ用無線通信規格に準拠したＮＦＣ（Near  Field  Communication）により、後述のＮＦＣタグ２２と無線通信を行う通信Ｉ／Ｆ１１９と、上記各構成要素を電気的に接続するためのアドレスバスやデータバス等のバスライン１１０とを備えている。
【００４９】
ディスプレイ１２０は、被写体の画像や操作用アイコン等を表示する液晶や有機ＥＬによって構成された表示装置を構成する。ディスプレイ１２０は、ケーブル１２０ｃによってディスプレイＩ／Ｆ１１７に接続されている。ケーブル１２０ｃは、アナログＲＧＢ（ＶＧＡ）信号用のケーブルであってもよいし、コンポーネントビデオ用のケーブルであってもよいし、ＨＤＭＩ（High-Definition  Multimedia  Interface）やＤＶＩ（Digital  Video  Interactive）信号用のケーブルであってもよい。
【００５０】
カメラ１１２は、レンズと、光を電荷に変換して被写体の像を電子化する固体撮像素子とを含み、固体撮像素子として、ＣＭＯＳ（Complementary  Metal  Oxide  Semiconductor）又はＣＣＤ（Charge  Coupled  Device）等が用いられる。
【００５１】
外部機器接続Ｉ／Ｆ１１８には、ＵＳＢ（Universal  Serial  Bus）ケーブル等によって、外付けカメラ、外付けマイク及び外付けスピーカ等の外部機器を接続できるようになっている。
【００５２】
外部機器接続Ｉ／Ｆ１１８に外付けカメラが接続された場合には、ＣＰＵ１０１は、内蔵型のカメラ１１２に優先して、外付けカメラを駆動するようになっている。また、外部機器接続Ｉ／Ｆ１１８に外付けマイクや外付けスピーカが接続された場合には、ＣＰＵ１０１は、内蔵型のマイク１１４や内蔵型のスピーカ１１５にそれぞれ優先して、外付けマイクや外付けスピーカを駆動するようになっている。
【００５３】
なお、記録メディア１０６は、伝送端末１０に対して着脱自在に構成されている。また、伝送端末１０は、ＣＰＵ１０１の制御にしたがってデータの読み出し又は書き込みを行う不揮発性メモリであれば、フラッシュメモリ１０４に代えて、ＥＥＰＲＯＭ（Electrically  Erasable  and  Programmable  ROM）等を用いてもよい。
【００５４】
また、伝送端末制御プログラムは、インストール可能な形式又は実行可能な形式のファイルで、記録メディア１０６等のような、コンピュータで読み取り可能な記録媒体に記録して流通させるようにしてもよい。また、伝送端末制御プログラムは、フラッシュメモリ１０４ではなくＲＯＭ１０２に記憶させるようにしてもよい。
【００５５】
図６に示すように、伝送管理装置５０は、伝送管理装置５０全体の動作を制御するＣＰＵ２０１と、ＩＰＬ等のＣＰＵ２０１の駆動に用いられるプログラムを記憶したＲＯＭ２０２と、ＣＰＵ２０１のワークエリアとして使用されるＲＡＭ２０３と、伝送管理プログラム等の各種データを記憶するＨＤ２０４と、ＣＰＵ２０１の制御にしたがってＨＤ２０４に対する各種データの読み出し又は書き込みを制御するＨＤＤ（Hard  Disk  Drive）２０５と、フラッシュメモリ等の記録メディア２０６に対するデータの読み出し又は書き込み（記憶）を制御するメディアドライブ２０７と、カーソル、メニュー、ウィンドウ、文字、又は画像などの各種情報を表示するディスプレイ２０８と、伝送ネットワーク２を利用してデータ伝送をするためのネットワークＩ／Ｆ２０９と、文字、数値、各種指示などの入力のための複数のキーを備えたキーボード２１１と、各種指示の選択や実行、処理対象の選択、カーソルの移動などを行うマウス２１２と、着脱可能な記録媒体の一例としてのＣＤ−ＲＯＭ（Compact  Disc  Read  Only  Memory）２１３に対する各種データの読み出し又は書き込みを制御するＣＤ−ＲＯＭドライブ２１４と、上記各構成要素を電気的に接続するためのアドレスバスやデータバス等のバスライン２１０とを備えている。
【００５６】
なお、伝送管理プログラムは、インストール可能な形式又は実行可能な形式のファイルで、記録メディア２０６やＣＤ−ＲＯＭ２１３等のコンピュータで読み取り可能な記録媒体に記録して流通させるようにしてもよい。また、伝送管理プログラムは、ＨＤ２０４ではなくＲＯＭ２０２に記憶されていてもよい。
【００５７】
また、中継装置３０は、伝送管理装置５０と同様のハードウェア構成を有しているため、その説明を省略する。但し、ＨＤ２０４には、中継装置３０を制御するための中継装置用プログラムが記録されている。
【００５８】
この場合も、中継装置用プログラムは、インストール可能な形式又は実行可能な形式のファイルで、記録メディア２０６やＣＤ−ＲＯＭ２１３等のコンピュータで読み取り可能な記録媒体に記録して流通させるようにしてもよい。また、中継装置用プログラムは、ＨＤ２０４ではなくＲＯＭ２０２に記憶されていてもよい。
【００５９】
また、プログラム提供装置９０は、伝送管理装置５０と同様のハードウェア構成を有しているため、その説明を省略する。但し、ＨＤ２０４には、プログラム提供装置９０を制御するためのプログラム提供装置用プログラムが記録されている。
【００６０】
この場合も、プログラム提供装置用プログラムは、インストール可能な形式又は実行可能な形式のファイルで、記録メディア２０６やＣＤ−ＲＯＭ２１３等のコンピュータで読み取り可能な記録媒体に記録して流通させるようにしてもよい。また、プログラム提供装置用プログラムは、ＨＤ２０４ではなくＲＯＭ２０２に記憶されていてもよい。
【００６１】
なお、上述したコンピュータで読み取り可能な記録媒体として、ＣＤ−Ｒ（Compact  Disc  Recordable）、ＤＶＤ（Digital  Versatile  Disk）、ブルーレイディスク等を適用してもよい。
【００６２】
＜＜実施形態の機能構成＞＞
図７に示すように、伝送端末１０、中継装置３０及び伝送管理装置５０は、伝送ネットワーク２を介してデータを伝送することができるように接続されている。また、伝送端末１０は、図５に示した通信Ｉ／Ｆ１１９により、ＮＦＣタグ２２と近距離無線通信を確立し、ＮＦＣタグ２２からデータを取得することができる。なお、図１に示したプログラム提供装置９０は、ビデオ会議に関するデータの伝送に直接関係ないため、図７では図示が省略されている。
【００６３】
＜伝送端末の機能構成＞
伝送端末１０は、送受信部１１、操作入力受付部１２、ログイン要求部１３、撮像部１４、音入力部１５ａ、音出力部１５ｂ、ＮＦＣ受信部１６と、表示制御部１７及び記憶・読出処理部１９を有している。これら各部は、フラッシュメモリ１０４からＲＡＭ１０３上に展開された伝送端末制御プログラムを実行するＣＰＵ１０１によって実現される機能である。また、伝送端末１０は、ＲＡＭ１０３及びフラッシュメモリ１０４によって構成される記憶部１０００を有している。
【００６４】
（伝送端末の各機能構成）
送受信部１１は、ＣＰＵ１０１及びネットワークＩ／Ｆ１１１によって構成され、伝送ネットワーク２を介して他の伝送端末１０又は装置３０、５０、９０と各種データや情報の送受信を行うようになっている。なお、送受信部１１は、本発明に係る伝送端末１０の送信部及び受信部を構成する。
【００６５】
送受信部１１は、所望の宛先端末とビデオ会議を開始する前から、伝送管理装置５０より、ビデオ会議の接続先の候補としての各伝送端末１０の状態を示す各状態情報の受信を開始するようになっている。
【００６６】
状態情報は、各伝送端末１０がオンラインかオフラインかの伝送状態を表すだけでなく、オンラインで伝送可能であるか、オンラインで伝送中であるか等の伝送状態も表す。
【００６７】
また、他の例としては、状態情報は、各伝送端末１０の伝送状態だけでなく、伝送端末１０でケーブル１２０ｃが伝送端末１０から外れていたり、音を出力するが画像は出力させなかったり、音を出力させないようにする（ＭＵＴＥ）等、様々な状態を表してもよい。
【００６８】
操作入力受付部１２は、ＣＰＵ１０１、操作ボタン１０８及び電源スイッチ１０９によって構成され、利用者による各種入力を受け付けるようになっている。例えば、利用者が、電源スイッチ１０９をＯＮにすると、操作入力受付部１２が電源ＯＮを受け付けて、伝送端末１０の電源をＯＮにするようになっている。
【００６９】
ログイン要求部１３は、ＣＰＵ１０１によって構成され、電源ＯＮの受け付けを契機として、送受信部１１から伝送ネットワーク２を介して伝送管理装置５０に、ログインを要求する旨を示すログイン要求情報及び現時点の自端末のＩＰアドレスを送信するようになっている。
【００７０】
また、利用者が電源スイッチ１０９をＯＮの状態からＯＦＦの状態にすると、送受信部１１が伝送管理装置５０に電源をＯＦＦする旨の状態情報を送信した後に、操作入力受付部１２が伝送端末１０の電源を完全にＯＦＦにするようになっている。これにより、伝送管理装置５０側では、伝送端末１０が電源ＯＮから電源ＯＦＦになったことを把握することができる。
【００７１】
撮像部１４は、ＣＰＵ１０１、カメラ１１２及び撮像素子Ｉ／Ｆ１１３によって構成され、被写体を撮像し、撮像して得られた画像データを送受信部１１に出力するようになっている。
【００７２】
音入力部１５ａは、ＣＰＵ１０１及び音入出力Ｉ／Ｆ１１６によって構成される。音入力部１５ａには、マイク１１４によって集音されて得られた音を表す音信号が入力され、入力された音信号を音データに変換するようになっている。
【００７３】
音出力部１５ｂは、ＣＰＵ１０１及び音入出力Ｉ／Ｆ１１６によって構成され、音データを音信号に変換し、変換した音信号をスピーカ１１５に出力することにより、スピーカ１１５に音を出力させるようになっている。
【００７４】
ＮＦＣ受信部１６は、ＣＰＵ１０１および通信Ｉ／Ｆ１１９によって構成され、ＮＦＣタグ２２が所定の通信圏内に接近し、ＮＦＣタグ２２と電磁誘導による無線通信（以下、ＮＦＣ通信と称する）が確立すると、ＮＦＣタグ２２に格納されている情報を受信する。すなわち、ＮＦＣ受信部１６は、機器としてのＮＦＣタグ２２から情報を取得する取得部として機能する。
【００７５】
表示制御部１７は、ＣＰＵ１０１及びディスプレイＩ／Ｆ１１７によって構成され、各種情報をディスプレイ１２０に表示する。表示制御部１７は、送受信部１１に受信された解像度の異なる画像データを組み合わせ、組み合わせた画像データをディスプレイ１２０に送信することにより、画像データが表す画像をディスプレイ１２０に表示させるようになっている。
【００７６】
また、表示制御部１７は、送受信部１１が伝送管理装置５０から受信した宛先リストの情報をディスプレイ１２０に送信することにより、宛先リストをディスプレイ１２０に表示させるようになっている。
【００７７】
記憶・読出処理部１９は、ＣＰＵ１０１及びＳＳＤ１０５によって構成され、記憶部１０００に各種データを記憶したり、記憶部１０００に記憶された各種データを読み出したりするようになっている。
【００７８】
記憶部１０００には、伝送端末１０を識別するための識別子（以下、「端末ＩＤ」という）及びパスワード等が記憶されている。更に、記憶部１０００は、宛先端末とビデオ会議を行う際に受信される画像データ及び音データの受信バッファとしても用いられる。
【００７９】
なお、本実施形態の端末ＩＤは、伝送端末１０を一意に識別するために使われる言語、文字、記号又は各種の標し等の情報を示す。また、端末ＩＤは、言語、文字、記号及び各種の標しのうち、少なくとも２つが組み合わされた情報であってもよい。
【００８０】
＜ＮＦＣタグの機能構成＞
ＮＦＣタグ２２は、通信部２２１および記憶部２２２と有している。通信部２２１は、ＮＦＣ受信部１６に近接すると、記憶部２２２に記憶されている情報をＮＦＣ通信により、ＮＦＣ受信部１６に送信する。ＮＦＣタグ２２とＮＦＣ受信部１６は、両者間の距離が１０ｃｍ程度よりも短い場合に、非接触無線通信であるＮＦＣ通信が可能である。
【００８１】
図８は、記憶部２２２のデータ構成を模式的に示す図である。記憶部２２２は、複数のブロックに分割されている。各ブロックには、３２バイトの情報が格納できる。ブロックＮｏ．１には、カード固有の情報である固有番号が記憶されている。また、ブロックＮｏ．２には、ユーザを識別する情報であるユーザ名が記憶されている。
【００８２】
なお、ＮＦＣタグ２２は、パッシブタイプ、セミパッシブタイプおよびアクティブタイプのいずれであってもよい。また、ＮＦＣタグ２２は、例えば会議に参加する可能性のある利用者が所持する社員証などのＩＣカードに、ＮＦＣチップとして埋め込まれてもよく、また他の例としては、利用者が所持するスマートフォンや、携帯電話にＮＦＣチップとして埋め込まれてもよい。
【００８３】
また、記憶部２２２は、必ずしもＮＦＣタグ２２内に設けられる必要はなく、ＮＦＣタグ２２がアクセス可能な記憶領域に設けられていてもよい。例えば、ＮＦＣタグ２２がスマートフォンなど他の機器に埋め込まれている場合には、記憶部２２２は、この機器が備える記憶領域や、ＳＩＭカードやＳＤカードなど、この機器に外付けされた記憶領域に設けられていてもよい。
【００８４】
また、ＮＦＣタグ２２にかえて、マイクロ波を利用したＲＦＩＤ（Radio   Frequency  Identification）タグを用いることとしてもよい。この場合には、伝送端末１０は、ＮＦＣ受信部１６に替えて、ＲＦＩＤ受信部を有し、ＲＦＩＤ受信部は、ＲＦＩＤタグから、電磁界や電波などを用いた近距離（周波数帯によって数ｃｍ〜数ｍ）の無線通信によって情報を受信する。
【００８５】
ＮＦＣタグ２２は、伝送端末１０が取得可能な状態に情報を記憶することのできる機器であればよく、他の例としては、例えばＵＳＢ（Universal  Serial  Bus）メモリのような携帯型の外付けメモリであってもよい。なお、この場合には、伝送端末１０は、ＵＳＢコネクタを備える必要がある。
【００８６】
＜伝送管理装置の機能構成＞
伝送管理装置５０は、送受信部５１、端末認証部５２、状態管理部５３、端末抽出部５４、端末状態取得部５５、ユーザ識別情報管理部としてのユーザ名管理部５６、及び記憶・読出処理部５９を有している。これら各部は、ＨＤ２０４からＲＡＭ２０３上に展開された伝送管理プログラムを実行するＣＰＵ２０１によって実現される機能である。また、伝送管理装置５０は、ＨＤ２０４により構成される記憶部５０００を有している。
【００８７】
（端末認証管理テーブル）
記憶部５０００には、図９に示すような端末認証管理テーブルを有する端末認証管理ＤＢ５００２が構築されている。端末認証管理テーブルでは、伝送管理装置５０によって管理される全ての伝送端末１０の各端末を識別するＩＤに対して、各パスワードが関連付けられて管理される。例えば、図９に示した端末認証管理テーブルは、伝送端末１０ａａの端末ＩＤが「０１ａａ」で、パスワードが「ａａａａ」であることを示している。
【００８８】
（端末管理テーブル）
また、記憶部５０００には、図１０に示すような端末管理テーブルを有する端末管理ＤＢ５００３が構築されている。なお、端末管理ＤＢ５００３は、第１記憶部を構成する。
【００８９】
端末管理テーブルでは、各伝送端末１０の端末ＩＤ毎に、各伝送端末１０の識別名（以下、「端末名」という）と、各伝送端末１０の伝送状態と、伝送システム１にログインするためのログイン要求情報を伝送管理装置５０が受信した受信日時と、伝送端末１０のＩＰアドレスと、伝送端末１０から伝送管理装置５０が受信した参加者名が関連付けられて管理されている。参加者名は、ログイン要求情報の送信元の伝送端末１０を利用するユーザが所持するＮＦＣタグ２２に格納されているユーザ名である。
【００９０】
例えば、図１０に示した端末管理テーブルは、端末ＩＤが「０１ａａ」の伝送端末１０ａａに対して、端末名が「日本  東京事業所  ＡＡ端末」で、伝送状態が「オンライン（伝送中）」で、伝送管理装置５０でログイン要求情報が受信された日時が「２００９年１１月１０日の１３時４０分」で、伝送端末１０ａａのＩＰアドレスが「１．２．１．３」であることを表している。
【００９１】
ここで、端末管理テーブルの端末ＩＤは、伝送端末１０が伝送システム１に登録されるときに、ユニークに割り当てられ、端末名は、伝送管理装置５０の管理者によって登録又は変更される。なお、端末名は、伝送端末１０から伝送管理装置５０に対してなされる要求に応じて、登録又は変更されてもよい。
【００９２】
また、伝送状態が「オンライン（伝送可能）」とは、伝送端末１０が伝送システム１にログインした状態で、ビデオ会議に参加していない状態であることを表し、「オンライン（伝送中）」とは、伝送端末１０が伝送システム１にログインした状態で、ビデオ会議に参加している状態であることを表し、伝送状態が「オフライン」とは、伝送端末１０が伝送システム１にログインしていない状態であることを表す。
【００９３】
（宛先リスト管理テーブル）
更に、記憶部５０００には、図１１に示すような宛先リスト管理テーブルを有する宛先リスト管理ＤＢ５００４が構築されている。なお、宛先リスト管理ＤＢ５００４は、第２記憶部を構成する。
【００９４】
宛先リスト管理テーブルでは、要求元端末の端末ＩＤと、宛先端末の端末ＩＤが対応付けられて管理されている。ここで、要求元端末とはビデオ会議に利用される伝送の開始を要求する伝送要求の要求元の端末である。また、宛先端末は、要求元端末が伝送要求の宛先とすることのできる端末であり、宛先の候補として登録されている端末である。
【００９５】
例えば、図１１に示した宛先リスト管理テーブルにおいて、端末ＩＤが「０１ａａ」である伝送端末１０ａａからビデオ会議の開始を要求することのできる宛先端末は、端末ＩＤが「０１ａｂ」の伝送端末１０ａｂ、端末ＩＤが「０１ｂａ」の伝送端末１０ｂａ及び端末ＩＤが「０１ｄｂ」の伝送端末１０ｄｂであることが示されている。宛先端末の候補は、伝送端末１０から伝送管理装置５０に対してなされる要求に応じて、追加又は削除される。
【００９６】
（伝送管理装置の各機能構成）
送受信部５１は、ＣＰＵ２０１及びネットワークＩ／Ｆ２０９によって構成され、伝送ネットワーク２を介して他の伝送端末１０又は装置３０、９０と各種データや情報の送受信を行うようになっている。
【００９７】
端末認証部５２は、ＣＰＵ２０１によって構成され、送受信部５１を介して受信されたログイン要求情報に含まれている端末ＩＤ及びパスワードを検索キーとして、記憶部５０００の端末認証管理ＤＢ５００２を検索し、端末認証管理ＤＢ５００２に同一の端末ＩＤ及びパスワードが管理されているかを判断することによって端末認証を行うようになっている。
【００９８】
状態管理部５３は、ＣＰＵ２０１によって構成され、ログイン要求してきた要求元端末の伝送状態を管理すべく、端末管理ＤＢ５００３（図１０参照）に、要求元端末の端末ＩＤに対して、伝送状態、伝送管理装置５０でログイン要求情報が受信された受信日時及びＩＰアドレスを関連付けて記憶して管理するようになっている。
【００９９】
また、状態管理部５３は、利用者が伝送端末１０の電源スイッチ１０９の状態をＯＮからＯＦＦにすることで、伝送端末１０から送られてきた、電源をＯＦＦする旨の状態情報に基づいて、端末管理ＤＢ５００３（図１０参照）における伝送端末１０の伝送状態をオンラインからオフラインに変更するようになっている。
【０１００】
ユーザ名管理部５６は、伝送端末１０から送られてきたユーザ名に基づいて、端末管理ＤＢ５００３（図１０参照）における参加者名の登録および削除を行う。
【０１０１】
端末抽出部５４は、ＣＰＵ２０１によって構成され、ログイン要求した要求元端末の端末ＩＤを検索キーとして、宛先リスト管理ＤＢ５００４（図１１参照）を検索し、要求元端末に対する宛先端末の候補の端末ＩＤを抽出するようになっている。
【０１０２】
また、端末抽出部５４は、ログイン要求してきた要求元端末の端末ＩＤを検索キーとして、宛先リスト管理ＤＢ５００４（図１１参照）を検索し、要求元端末の端末ＩＤを宛先端末の候補として登録している他の要求元端末の端末ＩＤも抽出するようになっている。
【０１０３】
端末状態取得部５５は、ＣＰＵ２０１によって構成され、端末抽出部５４によって抽出された宛先端末の候補の端末ＩＤを検索キーとして、端末管理ＤＢ５００３（図１０参照）を検索し、検出された端末ＩＤ毎に伝送状態を読み出すようになっている。
【０１０４】
これにより、端末状態取得部５５は、ログイン要求してきた要求元端末に対する宛先端末の候補の伝送状態を取得することができる。また、端末状態取得部５５は、端末抽出部５４によって抽出された端末ＩＤを検索キーとして、端末管理ＤＢ５００３を検索し、ログイン要求してきた要求元端末の伝送状態も取得するようになっている。
【０１０５】
記憶・読出処理部５９は、ＣＰＵ２０１及びＨＤＤ２０５によって構成され、記憶部５０００に各種データを記憶したり、記憶部５０００に記憶された各種データを読み出したりするようになっている。
【０１０６】
＜＜実施形態の処理または動作＞＞
次に、本実施形態に係る伝送システム１の動作について説明する。図１２は、伝送端末１０がビデオ会議に参加する準備状態になるまでの準備段階動作を示すシーケンス図である。なお、図１２は、伝送端末１０ａａが準備状態になる例が示されている。準備段階動作においては、管理情報用セッションｓｅｉ（図２参照）で各種情報が送受信される。
【０１０７】
まず、伝送端末１０ａａの利用者が、伝送端末１０ａａの電源スイッチ１０９をＯＮにすると、操作入力受付部１２が電源ＯＮを受け付けて、電源をＯＮにする（ステップＳ２１）。そして、ログイン要求部１３は、電源ＯＮの受け付けを契機とし、伝送端末１０ａａの送受信部１１から伝送ネットワーク２を介して伝送管理装置５０にログイン要求を表すログイン要求情報を送信する（ステップＳ２２）。
【０１０８】
ログイン要求情報には、ログイン要求元の伝送端末１０ａａを識別するための端末ＩＤ及びパスワードが含まれている。これら端末ＩＤ及びパスワードは、記憶・読出処理部１９によって記憶部１０００から読み出される。
【０１０９】
なお、伝送端末１０ａａから送信されたログイン要求情報が伝送管理装置５０に受信されたときには、伝送管理装置５０は、送信側である伝送端末１０ａｂのＩＰアドレスを把握することができる。
【０１１０】
次に、伝送管理装置５０の端末認証部５２は、送受信部５１を介して受信したログイン要求情報に含まれている端末ＩＤ及びパスワードを検索キーとして、記憶部５０００の端末認証管理ＤＢ５００２（図９参照）を検索し、端末認証管理ＤＢ５００２に検索キーと同一の端末ＩＤ及びパスワードが管理されているかを判断することによって端末認証を行う（ステップＳ２３）。
【０１１１】
ここで、端末認証部５２によって、検索キーと同一の端末ＩＤ及びパスワードが管理されていないと判断された場合、すなわち、正当な利用権限を有する伝送端末１０からのログイン要求でないと判断された場合には、送受信部５１は、端末認証部５２によって得られた認証結果を表す認証結果情報をログイン要求してきた伝送端末１０ａａに伝送ネットワーク２を介して送信し、準備段階の動作は終了することとなる。
【０１１２】
一方、端末認証部５２によって、検索キーと同一の端末ＩＤ及びパスワードが管理されていると判断された場合、すなわち、正当な利用権限を有する伝送端末１０からのログイン要求であると判断された場合には、状態管理部５３は、端末管理ＤＢ５００３（図１０参照）に、伝送端末１０ａａの端末ＩＤ、伝送状態、ログイン要求情報が受信された受信日時及び伝送端末１０ａａのＩＰアドレスを関連付けて記憶する（ステップＳ２４）。
【０１１３】
これにより、図１０に示すように、端末管理テーブルは、端末ＩＤ「０１ａａ」、伝送状態「オンライン（伝送中）」、受信日時「２００９．１１．１０．１３：４０」及び伝送端末１０ａａのＩＰアドレス「１．２．１．３」を関連付けて管理することになる。
【０１１４】
次に、伝送管理装置５０の送受信部５１は、端末認証部５２によって得られた認証結果を表す認証結果情報をログイン要求してきた伝送端末１０ａａに伝送ネットワーク２を介して送信する（ステップＳ２５）。
【０１１５】
次に、伝送管理装置５０の端末抽出部５４は、ログイン要求してきた伝送端末１０ａａの端末ＩＤ「０１ａａ」を検索キーとして、宛先リスト管理ＤＢ５００４（図１１参照）を検索し、伝送端末１０ａａに対する宛先端末の候補の端末ＩＤを抽出する（ステップＳ２６）。
【０１１６】
ここでは、伝送端末１０ａａの端末ＩＤ「０１ａａ」に対する宛先端末である伝送端末１０ａｂ、１０ｂａ、１０ｄｂのそれぞれの端末ＩＤ「０１ａｂ」、「０１ｂａ」、「０１ｄｂ」が抽出されることになる。
【０１１７】
次に、伝送管理装置５０の端末状態取得部５５は、端末抽出部５４によって抽出された宛先端末の候補の端末ＩＤ「０１ａｂ」、「０１ｂａ」、「０１ｄｂ」を検索キーとして、端末管理ＤＢ５００３（図１０参照）を検索し、端末抽出部５４によって抽出された端末ＩＤ毎に伝送状態「オフライン」、「オンライン（伝送可能）」、「オンライン（伝送中）」を読み出すことにより、伝送端末１０ａｂ、１０ｂａ、１０ｄｂの各伝送状態を取得する（ステップＳ２７）。
【０１１８】
次に、伝送管理装置５０の送受信部５１は、ステップＳ２７で使用された検索キーとしての端末ＩＤ「０１ａｂ」、「０１ｂａ」、「０１ｄｂ」と、それぞれに対応する伝送端末１０ａｂ、１０ｂａ、１０ｄｂの伝送状態「オフライン」、「オンライン（伝送可能）」、「オンライン（伝送中）」とが含まれた宛先状態情報を、伝送ネットワーク２を介して伝送端末１０ａａに送信する（ステップＳ２８）。
【０１１９】
これにより、伝送端末１０ａａは、宛先端末の候補である伝送端末１０ａｂ、１０ｂａ、１０ｄｂの現時点のそれぞれの伝送状態「オフライン」、「オンライン（伝送可能）」、「オンライン（伝送中）」を把握することができる。
【０１２０】
更に、伝送管理装置５０の端末抽出部５４は、ログイン要求してきた伝送端末１０ａａの端末ＩＤ「０１ａａ」を検索キーとして、宛先リスト管理ＤＢ５００４（図１１参照）を検索し、伝送端末１０ａａの端末ＩＤ「０１ａａ」を宛先端末の候補として登録している他の伝送端末の端末ＩＤを抽出する（ステップＳ２９）。例えば、図１１に示した宛先リスト管理テーブルでは、抽出される端末ＩＤは、「０１ａｂ」、「０１ｂａ」及び「０１ｄｂ」である。
【０１２１】
次に、伝送管理装置５０の状態管理部５３は、ログイン要求して来た伝送端末１０ａａの端末ＩＤ「０１ａａ」を検索キーとして、端末管理ＤＢ５００３（図１０参照）を検索し、ログイン要求してきた伝送端末１０ａａの伝送状態「オンライン（伝送可能）」を取得する（ステップＳ３０）。
【０１２２】
次に、伝送管理装置５０の送受信部５１は、ステップＳ２９で抽出された端末ＩＤ「０１ａｂ」、「０１ｂａ」、「０１ｄｂ」で識別されるそれぞれの伝送端末１０ａｂ、１０ｂａ、１０ｄｂのうち、端末管理ＤＢ５００３（図１０参照）で伝送状態が「オンライン」となっている伝送端末１０ｂａ、１０ｄｂに、ステップＳ３０で取得された伝送端末１０ａａの端末ＩＤ「０１ａａ」と伝送状態「オンライン（伝送中）」とが含まれる宛先状態情報を送信する（ステップＳ３１−１，Ｓ３１−２）。
【０１２３】
なお、伝送端末１０ｂａ、１０ｄｂに宛先状態情報を送信するときには、送受信部５１は、各端末ＩＤ「０１ｂａ」、「０１ｄｂ」に基づいて、図１０に示した端末管理テーブルで管理されている伝送端末のＩＰアドレスを参照する。
【０１２４】
これにより、ログイン要求してきた伝送端末１０ａａを宛先端末として指定して伝送することができる伝送端末１０ｄｂ、１０ｂａに、ログイン要求してきた伝送端末１０ａａの端末ＩＤ「０１ａａ」及び伝送状態「オンライン（伝送中）」を伝えることができる。
【０１２５】
また、準備段階動作のステップＳ２８が完了したときに、伝送端末１０ａａの表示制御部１７は、ディスプレイ１２０に表示させた宛先リストの情報から、ビデオ会議に参加中の端末、すなわち、伝送状態が「オンライン（伝送中）」や「オンライン（伝送可能）」である伝送端末１０ｄｂの情報をディスプレイ１２０に強調表示させる等して、ビデオ会議に参加している伝送端末１０又は参加可能な伝送端末１０を利用者に認識させることができる。
【０１２６】
図１３は、伝送端末１０がビデオ会議に参加する参加状態になるまでの会議参加動作を示すシーケンス図である。なお、図１３は、伝送端末１０ａａが参加状態になる例が示されている。会議参加動作においては、管理情報用セッションｓｅｉ（図２参照）で各種情報が送受信される。
【０１２７】
まず、利用者が操作ボタン１０８を押下してビデオ会議の参加を選択すると、操作入力受付部１２は、伝送端末１０ｄｂとビデオ会議を参加する旨の要求を受け付ける（ステップＳ４１）。
【０１２８】
この要求に応じて、伝送端末１０ａａの送受信部１１は、伝送端末１０ａａの端末ＩＤ「０１ａａ」及び伝送端末１０ｄｂの端末ＩＤ「０１ｄｂ」が含まれ、ビデオ会議に参加する旨を表す参加要求情報を伝送管理装置５０に送信する（ステップＳ４２）。
【０１２９】
これにより、伝送管理装置５０の送受信部５１は、参加要求情報を受信すると共に、送信元である伝送端末１０ａａのＩＰアドレス「１．２．１．３」を確認することができる。
【０１３０】
次に、伝送管理装置５０の状態管理部５３は、参加要求情報に含まれる伝送端末１０ａａの端末ＩＤ「０１ａａ」を検索キーとして、端末管理ＤＢ５００３（図１０参照）を検索し、参加要求してきた伝送端末１０ａａの伝送状態を「オンライン（伝送中）」に設定する（ステップＳ４３）。
【０１３１】
次に、伝送管理装置５０の送受信部５１は、伝送端末１０ａａの端末ＩＤ「０１ａａ」を含む参加要求情報を伝送端末１０ｄｂに伝送ネットワーク２を介して送信する（ステップＳ４４）。これにより、伝送端末１０ｄｂは、どの伝送端末１０からビデオ会議に参加したいとの要求があったのかを把握することができる。
【０１３２】
なお、説明を省略するが、図１０に示した端末管理ＤＢ５００３においては、伝送端末１０ｃｂの伝送状態も「オンライン（伝送中）」であるため、伝送管理装置５０の送受信部５１は、伝送端末１０ａａの端末ＩＤ「０１ａａ」を含む参加要求情報を伝送端末１０ｃｂに伝送ネットワーク２を介して送信する。
【０１３３】
次に、伝送端末１０ｄｂは、送受信部１１から伝送ネットワーク２を介して伝送管理装置５０に参加要求情報の受信が完了した旨を示す受信完了情報を送信する（ステップＳ４５）。
【０１３４】
次に、伝送管理装置５０の送受信部５１は、伝送ネットワーク２を介して中継装置３０に中継を開始する旨の要求を表す中継開始要求情報を送信する（ステップＳ４６）。中継開始要求情報には、伝送端末１０ａａ及び伝送端末１０ｄｂの各ＩＰアドレス「１．２．１．３」、「１．３．２．４」が含まれている。
【０１３５】
これにより、中継装置３０は、伝送端末１０ａａ、１０ｄｂ間で、低解像度、中解像度及び高解像度の３つの画像データ、並びに、音データを伝送するためのセッションを確立する（ステップＳ４７）。このように、伝送端末１０ａａは、伝送端末１０ｄｂとのビデオ会議に参加することができるようになる。
【０１３６】
一方で、伝送管理装置５０の送受信部５１は、伝送端末１０ａａの端末ＩＤ「０１ａａ」と伝送状態「オンライン（伝送中）」とが含まれる端末状態変更情報を、端末管理ＤＢ５００３（図１０参照）に登録されている各伝送端末１０にキャストする（ステップＳ４８）。これにより、端末状態変更情報を受信した各伝送端末は、必要に応じて、端末ＩＤ「０１ａａ」の伝送端末１０ａａの伝送状態を記憶および表示することができる。
【０１３７】
図１４は、伝送端末１０間のデータ伝送動作を示したシーケンス図である。なお、図１４に示すデータ伝送動作においては、画像・音データ用セッションｓｅｄ（図２参照）で画像データや音データが送受信される。
【０１３８】
図１３を用いて説明したように伝送端末１０ａａ、１０ｄｂ間のセッションが確立すると、伝送端末１０ａａは、撮像部１４によって撮像して得た画像データと、音入力部１５ａに入力された音信号が変換された音データを送受信部１１を介して中継装置３０に送信する（ステップＳ６０）。
【０１３９】
伝送端末１０ａａから画像データ及び音データを受信した中継装置３０は、ビデオ会議に参加している各伝送端末１０ａａ、１０ｄｂに、受信した画像データ及び音データを送信する（ステップＳ６１−１、Ｓ６１−２）。
【０１４０】
中継装置３０から画像データ及び音データを受信した各伝送端末１０ａａ、１０ｄｂは、受信した画像データが表す画像を表示制御部１７によってディスプレイ１２０に表示させると共に、受信した音データが表す音を音出力部１５ｂによってスピーカ１１５に出力させる（ステップＳ６２−１、Ｓ６２−２）。
【０１４１】
次に、伝送端末１０ｄｂは、撮像部１４によって撮像して得た画像データと、音入力部１５ａに入力された音信号が変換された音データを送受信部１１を介して中継装置３０に送信する（ステップＳ６３）。
【０１４２】
伝送端末１０ｄｂから画像データ及び音データを受信した中継装置３０は、ビデオ会議に参加している各伝送端末１０ａａ、１０ｄｂに、受信した画像データ及び音データを送信する（ステップＳ６４−１、Ｓ６４−２）。
【０１４３】
中継装置３０から画像データ及び音データを受信した各伝送端末１０ａａ、１０ｄｂは、受信した画像データが表す画像を表示制御部１７によってディスプレイ１２０に表示させると共に、受信した音データが表す音を音出力部１５ｂによってスピーカ１１５に出力させる（ステップＳ６５−１、Ｓ６５−２）。
【０１４４】
このように、伝送端末１０ａａ、１０ｄｂは、中継装置３０を介してビデオ会議を行うことができる。なお、図１３では、本発明を理解しやすくするために、ビデオ会議に参加している伝送端末１０を２つの伝送端末１０ａａ、１０ｄｂとしているが、ビデオ会議に参加している伝送端末１０が３つ以上であっても画像データ及び音データは、図１４に示したデータ伝送動作と同様に伝送される。
【０１４５】
図１５は、伝送端末１０間のデータ伝送動作が開始した後に、ビデオ会議の参加者の情報を伝送端末１０のディスプレイ１２０に表示する動作を示すシーケンス図である。なお、図１５に示す表示動作においては、伝送端末１０ａａを利用するユーザがビデオ会議に参加し、このユーザに関する情報を、このビデオ会議に参加している伝送端末１０ｄｂのディスプレイ１２０ｄｂと、自端末１０ａａのディスプレイ１２０ａａに表示する例について説明する。
【０１４６】
なお、前提として、ビデオ会議に参加するユーザは、ビデオ会議に参加する際、およびビデオ会議から退出する際に、自身が所持するＮＦＣタグ２２を、伝送端末１０ａａに近接させることとする。
【０１４７】
ユーザが自身が所持するＮＦＣタグ２２をＮＦＣ受信部１６に近接させると、ＮＦＣタグ２２と、ＮＦＣ受信部１６の間の無線通信が確立する。そして、ＮＦＣ受信部１６は、ＮＦＣタグ２２に記憶されているユーザ名、すなわち参加者名を読み取る（ステップＳ７１）。具体的には、図８に示す記憶部２２２のブロックＮｏ．２からユーザ名「Jiro  Kanagawa」が読み取られる。次に、送受信部１１は、読み取られた参加者名を伝送管理装置５０に送信する（ステップＳ７２）。
【０１４８】
伝送管理装置５０においては、送受信部５１が参加者名を受信すると、端末抽出部５４は、参加者名の送信元のＩＰアドレスを検索キーとして、端末管理ＤＢ５００３（図１０参照）を検索し、送信元の伝送端末の端末ＩＤと端末名とを読み出す。本例においては、端末ＩＤ「０１ａａ」と、端末名「日本東京事業所ＡＡ端末」が抽出される。次に、ユーザ名管理部５６は、送受信部５１が受信した参加者名に基づいて、端末管理ＤＢ５００３（図１０参照）を更新する（ステップＳ７３）。
【０１４９】
具体的には、ユーザ名管理部５６は、受信した参加者名が、端末管理ＤＢ５００３（図１０参照）に記憶されていない場合には、受信した参加者名を、参加者名の送信元の伝送端末１０の端末ＩＤに対応付けて端末管理ＤＢ５００３に書き込む。例えば、受信した参加者名が「Jiro  Kanagawa」である場合には、図１０に示す端末管理ＤＢ５００３の端末管理テーブルの端末ＩＤ「０１ａａ」に対応付けて、参加者名「Jiro  Kanagawa」を追加する。図１６は、端末ＩＤ「０１ａａ」に対応付けて、参加者名に「Jiro  Kanagawa」が追加された状態の端末管理ＤＢを示す図である。なお、このように、１つの端末１０ａａを利用する参加者が複数人存在する場合には、複数人の参加者名それぞれを端末管理ＤＢ５００３に書き込む。
【０１５０】
一方で、ステップＳ７３において、ユーザ名管理部５６は、受信した参加者名が、端末管理ＤＢに記憶されている場合には、受信した参加者名を、端末管理ＤＢ５００３から削除する。例えば、受信した参加者名が「Taro  Tokyo」である場合には、図１０に示す端末管理ＤＢ５００３の端末管理テーブルの端末ＩＤ「０１ａａ」に対応付けて記憶されている参加者名「Taro  Tokyo」を削除する。
【０１５１】
なお、受信した参加者名が、端末管理ＤＢ５００３に記憶されている場合とは、参加者が既にビデオ会議に参加している状態において、退出のため、再度ＮＦＣタグ２２をＮＦＣ受信部１６に近接させた場合である。
【０１５２】
次に、伝送管理装置５０の端末状態取得部５５は、端末管理ＤＢ５００３（図１０参照）を検索し、伝送状態が「オンライン（伝送中）」に対応付けられている端末ＩＤをすべて読み出す（ステップＳ７４）。図１０に示す端末管理ＤＢ５００３においては、端末ＩＤ「０１ａａ」、「０１ｃｂ」、「０１ｄｂ」が読み出される。
【０１５３】
次に、端末抽出部５４は、ステップＳ７４において読み出された端末ＩＤのうち、参加者名の送信元の端末ＩＤと一致する端末ＩＤ以外の端末ＩＤを対象として、宛先リスト管理ＤＢ５００４の要求元端末ＩＤの列を参照し、対象とする端末ＩＤを要求元端末とする宛先端末の端末ＩＤをすべて読み出す（ステップＳ７５）。具体的には、ステップＳ７４において読み出された端末ＩＤ「０１ａａ」、「０１ｃｂ」、「０１ｄｂ」から端末ＩＤ「０１ａａ」が除外され、宛先リスト管理ＤＢ５００４において、要求元端末ＩＤ「０１ｃｂ」、「０１ｄｂ」それぞれに対応付けられている宛先端末ＩＤがそれぞれ読み出される。
【０１５４】
次に、送受信部５１は、参加者名の送信元の端末ＩＤと、ステップＳ７５において読み出された宛先端末の端末ＩＤとを比較し（ステップＳ７６）、比較結果に応じて、伝送中の伝送端末と、送信元の伝送端末に対し、参加者名と、新たな参加者が追加された旨とを含む参加者情報を送信する（ステップＳ７７−１，Ｓ７７−２）。
【０１５５】
具体的には、送受信部５１は、宛先リスト管理ＤＢ５００４（図１１参照）において、参加者名を送信すべき伝送端末１０を要求元端末とする宛先端末に、参加者名の送信元の端末１０が登録されている場合には、参加者名の送信元の端末１０の端末ＩＤと、端末名と、参加者名とを含む参加者情報をこの伝送端末に送信する。
【０１５６】
一方で、送受信部５１は、宛先リスト管理ＤＢ５００４（図１１参照）において、参加者名を送信すべき伝送端末１０を要求元端末とする宛先端末に、参加者名の送信元の端末１０が登録されていない場合には、参加者名の送信元の端末１０の端末名は送信せず、参加者名の送信元の端末１０の端末ＩＤと参加者名とを含む参加者情報をこの伝送端末に送信する。なお、送受信部５１は、参加者名の送信元の端末１０に対しては、端末ＩＤと、端末名と、参加者名とを含む参加者情報を送信する。
【０１５７】
ステップＳ７５において、対象とされた端末ＩＤ「０１ｃｄ」の宛先端末には、「０１ａａ」が含まれていない。したがって、送受信部１１は、伝送端末１０ｃｄに対し、参加者名の送信元の端末ＩＤと、参加者名とを含む参加者情報を送信する。一方で、ステップＳ７５において対象とされた端末ＩＤ「０１ｄｂ」の宛先端末には、「０１ａａ」が含まれている。したがって、送受信部５１は、伝送端末１０ｄｂに対し、参加者名の送信元の端末ＩＤと、端末名と、参加者名とを含む参加者情報を送信する。そして、参加者情報を受信した伝送端末は、参加者情報をディスプレイ１２０に表示する（ステップＳ７８−１，Ｓ７８−２）。以上で、処理が完了する。
【０１５８】
端末ＩＤと、端末名と、参加者名と、新たな参加者が追加された旨とを含む参加者情報を受信した伝送端末１０は、ディスプレイ１２０に例えば「０１ａａ  日本東京事業所  ＡＡ端末  Jiro  Kanagawaが参加しました」など、参加者情報を表示する。一方、端末ＩＤと、参加者名と、新たな参加者が追加された旨とを含む参加者情報を受信した伝送端末１０は、ディスプレイに例えば「０１ａａ  Jiro  Kanagawaが参加しました」など、参加者情報を表示する。
【０１５９】
また、ステップＳ７３において、受信した参加者名と一致する参加者名を端末管理ＤＢ５００３から削除した場合、すなわち、参加者の退出時には、ステップＳ７４〜ステップＳ７６において同様の処理を行う。ステップＳ７７−１，ステップＳ７７−２においては、端末ＩＤと、端末名と、退出者名と、退出する旨とを含む退出者情報または、端末ＩＤと、退出者名と、退出する旨とを含む退出者情報を伝送端末に送信する。
【０１６０】
端末ＩＤと、端末名と、退出者名と、退出する旨とを含む退出者情報を受信した伝送端末１０は、ディスプレイ１２０に例えば「０１ａａ  日本東京事業所  ＡＡ端末  Taro  Tokyoが退出しました」など、退出者情報を表示する。一方、端末ＩＤと、退出者名と、退出する旨とを含む退出者情報を受信した伝送端末１０は、ディスプレイに例えば「０１ａａ  Taro  Tokyoが退出しました」など、退出者情報を表示する。
【０１６１】
このように、各伝送端末１０のディスプレイ１２０には、端末ＩＤと、参加者名とが表示される。さらに、端末ＩＤで識別される端末が、宛先端末である場合には、端末ＩＤに対応する端末名が表示される。
【０１６２】
本実施の形態にかかる伝送システム１においては、伝送端末１０から参加者名を受信したことを契機として、このタイミングにおいて、伝送管理装置５０は、端末管理ＤＢ５００３を更新し、さらに受信した参加者名を所定の伝送端末１０に送信することができる。このため、伝送システム１は、会議の進行を妨げることなく、新たな参加者や退出者に関する情報を、会議の途中においても、適宜会議参加者に通知することができる。
【０１６３】
ここで、伝送端末１０の画像表示について説明する。本実施形態において、表示制御部１７は、全画面表示モードと情報表示モードの２つの表示モードをとる。これらの表示モードの切り替えは、例えば、ユーザによる操作ボタン１０８の操作に応じて行われる。
【０１６４】
図１７に示すように、全画面表示モードにおいて、伝送端末１０の表示制御部１７は、ビデオ会議に参加している各伝送端末１０から送信された全ての画像をディスプレイ１２０に表示させる。
【０１６５】
図１７に示す表示画面には、比較的広い１つの第１画像領域５００と、比較的狭い複数の第２画像領域５１０とが割り当てられている。例えば、各第２画像領域５１０には、ビデオ会議に参加している各伝送端末１０から送信された画像データが表す画像が表示され、第１画像領域５００には、ビデオ会議に参加している伝送端末１０の中から主要な伝送端末１０の画像データが表す画像が表示される。
【０１６６】
例えば、表示制御部１７は、ビデオ会議に参加している伝送端末１０のなかで、受信した音データの中で音声を表す音データの送信元の伝送端末を主要な端末として特定する。ここで、音声を表す音データとは、受信された各音データに対して音声区間の検出が行われ、有声区間があると判定された音データのことである。なお、音声区間の検出は、公知の技術を用いて実現することができる（例えば、新美、「音声認識」、共立出版、１９７９年、ｐｐ．６８−７２参照）。
【０１６７】
さらに、伝送端末１０は、全画面表示モードに設定されているときに、図１５を参照しつつ説明した動作により、送受信部１１が、参加者情報や退出者情報を受信した場合には、表示制御部１７は、これらの情報を、参加者情報表示領域５２０に表示する。
【０１６８】
なお、表示制御部１７は、参加者情報や退出者情報を例えば５秒など所定時間表示した後、これらの情報をディスプレイ１２０から消去する。他の例としては、表示画面の参加者情報表示領域５２０に参加者情報等を表示するのに替えて、参加者情報等を表示させたポップアップ画面を重畳して所定時間表示することとしてもよい。さらに、ポップアップ画面は、参加者の利用する伝送端末１０から送信された画像データが表示される領域上に重畳して表示されることとしてもよい。
【０１６９】
次に、ディスプレイ１２０の表示を全画面表示モードから情報表示モードに切り替える動作について説明する。図１８は、情報表示モードへの表示切替動作を示すシーケンス図である。なお、図１８に示す表示切替動作においては、管理情報用セッションｓｅｉで各種情報が送受信される。ここでは、伝送端末１０ａａのディスプレイ１２０ａａの表示を切り替える場合について説明する。
【０１７０】
まず、伝送端末１０ａａは、ビデオ会議に参加している伝送端末１０に関する情報としての参加者情報の提示要求を伝送管理装置５０に送信する（ステップＳ８１）。伝送管理装置５０においては、送受信部５１が提示要求を受信すると、端末抽出部５４は、提示要求の送信元の端末のＩＰアドレスを検索キーとして、記憶部５０００の端末管理ＤＢ５００３（図１０参照）を検索し、提示要求の送信元の端末の端末ＩＤを読み出す（ステップＳ８２）。
【０１７１】
次に、端末抽出部５４は、端末状態取得部５５による端末管理ＤＢ５００３の検索結果に基づいて、伝送状態が「オンライン（伝送中）」になっている端末ＩＤと端末名とを読み出し、さらに参加者名を読み出す（ステップＳ８３）。図１０に示す端末管理ＤＢ５００３においては、伝送中の端末の端末ＩＤとして、「０１ａａ」、「０１ｃｂ」、「０１ｄｂ」が読み出され、さらに、参加者名「Taro  Tokyo」、「Mike  Smith」、「Raquel  Rodrriguez」が読み出される。
【０１７２】
次に、端末抽出部５４は、提示要求の送信元の端末の端末ＩＤ（ここでは、「０１ａａ」）を検索キーとして、宛先リスト管理ＤＢ５００４の要求元端末ＩＤの列を参照し、送信元の端末を要求元端末とする宛先端末の端末ＩＤを読み出す（ステップＳ８４）。具体的には、送信元端末の端末ＩＤ「０１ａａ」に対し、ステップＳ８４においては、端末ＩＤ「０１ａｂ」、「０１ｂａ」、「０１ｄｂ」が読み出される。
【０１７３】
なお、端末抽出部５４は、第１記憶部としての端末管理ＤＢ５００３から、ユーザ識別情報としての参加者名と、端末ＩＤとを抽出する第１抽出部として機能し、かつ第２記憶部としての宛先リスト管理ＤＢ５００４から、送信元の伝送端末を要求元端末とする宛先端末の端末ＩＤを抽出する第２抽出部として機能する。
【０１７４】
次に、送受信部５１は、ステップＳ８４において読み出された伝送中の端末ＩＤと、宛先端末の端末ＩＤとを比較し（ステップＳ８５）、比較結果に応じて、伝送中の伝送端末の端末ＩＤと、端末名と、参加者名とを含む参加者情報または端末名を含まず端末ＩＤと、参加者名とを含む参加者情報を提示要求の要求元の伝送端末１０ａａに送信する（ステップＳ８６）。
【０１７５】
具体的には、送信部５１は、送信元の伝送端末１０の宛先端末として伝送中の端末が登録されている場合には、伝送中の端末の端末ＩＤと、端末名と、参加者名とを含む参加者情報を送信する。一方、送受信部５１は、送信元の伝送端末１０の宛先端末として伝送中の端末が登録されていない場合には、伝送中の端末の端末ＩＤと、参加者名とを含み、端末名を含まない参加者情報を送信する。なお、伝送端末毎の参加者情報が送信される。
【０１７６】
送信元端末１０ａａに対し、伝送端末１０ａａおよび伝送端末１０ｄｂに関しては、端末ＩＤと、端末名と、参加者名とを含む参加者情報が送信され、伝送端末１０ｃｂについては、端末ＩＤと参加者名とを含み、端末名を含まない参加者情報が送信される。
【０１７７】
伝送端末１０ａａは、伝送管理装置５０から参加者情報を受信すると（ステップＳ８６）、受信した参加者情報をディスプレイ１２０ａａに表示する（ステップＳ８７）。以上で、処理が完了する。
【０１７８】
図１９は、図１８の処理によりディスプレイ１２０ａａに表示された、情報表示モードにおける参加者情報の表示例を示す図である。情報表示モードの表示画面には、画像を表示するための画像表示領域５３０と、参加者情報を表示するための参加者情報表示領域５４０とが割り当てられている。参加者情報表示領域５４０には、ビデオ会議に参加している伝送端末１０の参加者情報がリスト表示されている。
【０１７９】
このように、リスト表示として、ビデオ会議に参加している伝送端末１０の端末ＩＤと、参加者名が対応付けて表示されるので、参加者は、所望のタイミングにおいて、画面表示を情報表示モードに切り替えることにより、ビデオ会議に参加している端末１０の端末ＩＤと、参加者名とを把握することができる。さらに、宛先端末については、端末名も併せて表示されるので、参加者は、宛先端末については、端末名まで把握することができる。
【０１８０】
図１９に示す表示画面においては、伝送端末１０ｄｂは、伝送端末１０ａａの宛先端末の候補として宛先リスト管理ＤＢ５００４に登録されているため端末名が表示されているが、伝送端末１０ｃｂは、伝送端末１０ａａの宛先端末の候補として宛先リスト管理ＤＢ５００４に登録されていないため端末名が表示されていない。また、伝送端末１０ａａについては、自端末１０ａａであるため、端末名も併せて表示されている。
【０１８１】
画像表示領域５３０には、ビデオ会議に参加している伝送端末１０の中から主要な伝送端末の画像データが表す画像が表示される。例えば、表示制御部１７は、ビデオ会議に参加している伝送端末１０のなかで、受信した音データの中で音声を表す音データの送信元の伝送端末を主要な伝送端末として特定する。また、表示制御部１７は、利用者による操作ボタン１０８の操作に応じて、ビデオ会議に参加している伝送端末１０から１つの伝送端末が選択されたことが操作入力受付部１２によって受け付けられたときに、選択された伝送端末を主要な伝送端末として特定するようにしてもよい。
【０１８２】
以上、本発明を実施の形態を用いて説明したが、上記実施の形態に多様な変更または改良を加えることができる。
【０１８３】
＜＜本実施形態の主な効果＞＞
以上説明したように本実施形態に係る伝送システム１は、ビデオ会議に参加中の伝送端末１０の情報を伝送管理装置５０に応答させるため、ビデオ会議に参加している伝送端末１０の数によらずに、誰がどの伝送端末１０からビデオ会議に参加しているのかを各伝送端末１０の利用者（会議参加者）に把握させることができる。
【０１８４】
これにより、伝送システム１においては、利用者にビデオ会議の相手先を会話で尋ねさせることなく知らせることができるので、会議時間を短縮させることができる。また、伝送システム１は、宛先として登録されていない伝送端末に対しては端末名が表示されないため、ビデオ会議に知らない相手が参加していことを知らせることができる。これにより、参加者は、話す内容に注意しながら会議を進めることができる。
【０１８５】
また、伝送システム１は、情報表示モードにおいて、ディスプレイ１２０に端末情報を表示させているときであっても、主要な伝送端末の画像データを表示させておくため、利用者に会議を主導する拠点の様子を把握させておくことができる。
【０１８６】
（第２の実施の形態）
次に、第２の実施の形態にかかる伝送システム１について説明する。第１の実施の形態にかかる伝送システム１においては、ビデオ会議の参加者が、参加時および退出時にＮＦＣタグ２２をＮＦＣ受信部１６に近付けることとした。そして、伝送管理装置５０は、ＮＦＣタグ２２に記憶されている参加者名を受信することにより、新たな参加者の追加と、参加者の退出とを特定した。
【０１８７】
これに対し、第２の実施の形態にかかる伝送システム１においては、ビデオ会議の参加者は、会議参加中は常にＮＦＣタグ２２をＮＦＣ受信部１６と無線通信可能な通信範囲内に置いておき、退出時に、ＮＦＣタグ２２をＮＦＣ受信部１６の通信範囲外に移動させることとする。そして、伝送管理装置５０は、ＮＦＣタグ２２に記憶されている参加者名を受信可能か否かにより、新たな参加者の追加と、参加者の退出とを特定する。
【０１８８】
図２０は、ＮＦＣタグ２２を所持するユーザが会議に参加してから退出するまでのＮＦＣ受信部１６の通信状態を示す遷移図である。ユーザが所持するＮＦＣタグ２２がＮＦＣ受信部１６の通信範囲外に存在している間は、通信不可の状態となっている（ステップ４）。そして、ユーザがＮＦＣタグ２２をＮＦＣ受信部１６に近接させ、ＮＦＣタグ２２がＮＦＣ受信部１６の通信範囲内に入ると、通信状態は、通信可に遷移する（ステップ１）。通信可の通信状態に遷移すると、伝送端末１０は、ＮＦＣタグ２２に記憶されている情報を受信する。
【０１８９】
図２１は、伝送端末１０のＮＦＣ受信部１６がＮＦＣタグ２２の情報を受信したことを契機として、すなわち通信状態が通信可に遷移したこと（ステップ１）を契機として実行される、ディスプレイ１２０への参加者情報の表示動作を示したシーケンス図である。図２１に示す表示動作は、図１５に示す、第１の実施の形態にかかる伝送システム１の表示動作とほぼ同様である。
【０１９０】
図２１に示す、第２の実施の形態にかかる伝送システム１の表示動作においては、まず、伝送端末１０ａａのＮＦＣ受信部１６は、ＮＦＣタグ２２が通信範囲内に入ると、ＮＦＣタグ２２の記憶部２２２に記憶されているユーザ名に加えて、固有番号を受信する（ステップＳ８０）。
【０１９１】
次に、ＮＦＣ受信部１６は、受信したユーザ名と、固有番号とを対応付けて、記憶部１０００のユーザ名テーブルに書き込む（ステップＳ８１）。図２２は、記憶部１０００のユーザ名テーブルの概念図である。このように、ユーザ名テーブルには、伝送端末１０ａａを用いてビデオ会議に参加するユーザ（会議参加者）のユーザ名と、固有番号とが対応付けて記憶される。
【０１９２】
図２１に戻り、伝送端末１０ａａは、ＮＦＣタグ２２から受信したユーザ名（参加者名）を伝送管理装置５０に送信する（ステップＳ７２）。以降の処理は、図１５を参照しつつ説明した第１の実施の形態にかかる伝送システム１の参加者情報表示動作と同様である。なお、図２１に示すステップＳ７２〜ステップＳ７８−１，７８−２においては、端末管理ＤＢ５００３に新たな参加者が追加され、ディスプレイ１２０に参加者情報が表示される場合の処理が行われる。
【０１９３】
図２０に戻り、通信可の通信状態に遷移した後、参加者は、ＮＦＣタグ２２をＮＦＣ受信部１６の通信範囲内に置いておく。ＮＦＣタグ２２がＮＦＣ受信部１６の通信範囲内に存在する間は、通信可の通信状態が継続する（ステップ２）。
【０１９４】
そして、参加者は、ビデオ会議からの退出を希望する場合には、ＮＦＣタグ２２をＮＦＣ受信部１６の通信範囲外に移動させる。これにより、通信状態は、通信不可に遷移する（ステップ３）。通信不可の通信状態に遷移すると、伝送端末１０は、ＮＦＣタグ２２からこれまで受信していた情報を受信できなくなる。
【０１９５】
図２３は、伝送端末１０のＮＦＣ受信部１６がＮＦＣタグ２２から情報を受信できなくなったことを契機として、すなわち通信状態が通信不可に遷移したこと（ステップ３）を契機として実行される、ディスプレイ１２０への退出者情報の表示動作を示したシーケンス図である。図２３に示す表示動作は、図１５に示す、第１の実施の形態にかかる伝送システム１の表示動作とほぼ同様である。
【０１９６】
図２３に示す、第２の実施の形態にかかる伝送システム１の表示動作においては、まず、伝送端末１０ａａのＮＦＣ受信部１６は、ＮＦＣタグ２２が通信範囲外に移動すると、これまで受信していた、ユーザ名と固有番号とを受信できなくなる。
【０１９７】
伝送端末１０ａａのＮＦＣ受信部１６は、記憶部１０００のユーザ名テーブル（図２２参照）を参照することにより、いずれの固有番号を受信できなくなったかを特定する（ステップＳ８２）。次に、送受信部１１は、ユーザ名テーブルにおいて、受信できない固有番号に対応付けられているユーザ名を通信不可の参加者名として、伝送管理装置５０に送信する（ステップＳ８３）。送受信部１１は、送信が完了すると受信できなくなったユーザ名と固有番号とをユーザ名テーブルから削除する（ステップＳ８４）。
【０１９８】
以降の処理は、図１５を参照しつつ説明した、第１の実施の形態にかかる伝送システム１の参加者情報表示動作と同様である。なお、図２３に示すステップＳ７３〜ステップＳ７８−１，Ｓ７８−２においては、参加者の退出に際し、端末管理ＤＢ５００３から参加者が削除され、ディスプレイ１２０に退出者情報が表示される場合の処理が行われる。
【０１９９】
図２０に戻り、通信不可の通信状態に遷移した後、ＮＦＣタグ２２がＮＦＣ受信部１６の通信範囲外に存在する間は、通信不可の通信状態が継続する（ステップ４）。
【０２００】
第２の実施の形態にかかる伝送システム１においては、各伝送端末１０がユーザ名テーブルにおいて、ビデオ会議の参加者の参加者名と固有番号とを記憶しており、１の伝送端末１０において複数人が会議に参加している場合には、複数人それぞれの参加者名と固有番号とを記憶することができるので、各ユーザの参加の有無を個別に特定することができる。
【０２０１】
第２の実施の形態にかかる伝送システム１のこれ以外の構成および動作は、第１の実施の形態にかかる伝送システム１の構成および動作と同様である。
【０２０２】
なお、本実施の形態においては、ユーザ名と固有番号とを記憶する機器として、ＮＦＣタグ２２を用い、伝送端末１０とＮＦＣ通信を行うこととしたが、他の例としては、ユーザ名等を記憶する機器として、ＮＦＣタグにかえて、３ｍ程度と、ＮＦＣタグに比べて長距離の無線通信が可能な、ＲＦＩＤタグをアクティブタブとして用いることとするのが好ましい。これにより、伝送システム１において、ＲＦＩＤタグを所持するユーザが伝送端末１０付近に移動し、または伝送端末１０から離れることにより、参加または退出者を他の伝送端末１０を利用する参加者に通知することができる。
【０２０３】
第２の実施の形態の伝送システム１の変更例としては、第２の実施の形態においては、伝送端末１０は、固有番号とユーザ名とをＮＦＣタグ２２から受信し、これらを記憶部１０００に記憶したが、これに替えて、ユーザを識別する情報であるユーザ名のみをＮＦＣタグ２２から受信し、これを記憶部１０００に記憶することとしてもよい。この場合には、伝送端末１０は、記憶部１０００に記憶されているユーザ名を受信しなくなったことにより、参加者の退出を特定すればよい。
【０２０４】
（第３の実施の形態）
次に、第３の実施の形態にかかる伝送システム１について説明する。第３の実施の形態にかかる伝送システム１においては、宛先リストに、参加者名を表示することができる。図２４は、第１の実施の形態において図１２を参照しつつ説明した処理により伝送端末１０ａａのディスプレイ１２０ａａに表示される宛先リストの表示例を示す図である。宛先リストには、宛先リスト枠１１００−１と、伝送端末１０に対応付けられている宛先端末の端末ＩＤ１１００−２と、端末名１１００−３と、状態情報を反映させたアイコン１１００−４ａ〜１１００−４ｃが含まれている。
【０２０５】
アイコンとしては、ＯＦＦラインで通話できないことを示すＯＦＦラインアイコン１１００−４ａと、ＯＮラインで通話可能であることを示す通話可能アイコン１１００−４ｂと、ＯＮラインで通話中であることを示す通話中アイコン１１００−４ｃとがある。
【０２０６】
図２５は、宛先リストの表示中に、宛先端末の参加者名が端末管理ＤＢ５００３に登録された場合に、参加者名を表示する動作を示すシーケンス図である。図２５は、伝送端末１０ｂａがＮＦＣタグ２２からユーザ名（参加者名）を受信した場合の動作を示している。
【０２０７】
伝送端末１０ｂａにおいて、ＮＦＣ受信部１６がＮＦＣタグ２２に記憶されているユーザ名、すなわち参加者名を読み取る（ステップＳ９１）。次に、送受信部１１は、読み取られた参加者名を伝送管理装置５０に送信する（ステップＳ９２）。
【０２０８】
伝送管理装置５０においては、送受信部５１が参加者名を受信すると、ユーザ名管理部５６は、参加者名の送信元のＩＰアドレスを検索キーとして、端末管理ＤＢ５００３（図１０参照）を検索し、送信元の伝送端末の端末ＩＤに対応付けられている参加者名を更新する（ステップＳ９３）。具体的には、ユーザ名管理部５６は、受信した参加者名が端末管理ＤＢ５００３に登録されていない場合には、送信元の伝送端末の端末ＩＤに対応する参加者名の欄に、受信した参加者名を追加する。また、ユーザ名管理部５６は、受信した参加者名が端末管理ＤＢ５００３に登録されている場合には、参加者が退出のために、ＮＦＣタグ２２をＮＦＣ受信部１６に近付けた場合に相当するので、登録されている参加者名を端末管理ＤＢ５００３から削除する。
【０２０９】
次に、端末抽出部５４は、宛先リスト管理ＤＢ５００４を参照し、参加者名の送信元の端末を宛先端末とする要求元端末の端末ＩＤを抽出し、さらに端末管理ＤＢ５００３を参照し、要求元端末の端末ＩＤのうち、伝送中の伝送状態に対応付けられている端末ＩＤを抽出する（ステップＳ９４）。次に、送受信部５１は、ステップＳ９４において抽出された要求元端末に対し、ステップＳ９２において受信した参加者名と、参加者名の送信元の端末の端末ＩＤと、参加者名に対する処理要求とを送信する（ステップＳ９５）。ここで、ステップＳ９３において、参加者名の追加処理が行われた場合には、処理要求は、参加者名の追加であり、ステップＳ９３において、参加者名の削除処理が行われた場合には、処理要求は、参加者名の削除である。
【０２１０】
処理要求と参加者名と、参加者名の送信元の端末ＩＤとを受信した端末１０においては、表示制御部１７は、処理要求に応じて、参加者名の表示の追加または削除を行う（ステップＳ９６）。具体的には、表示制御部１７は、参加者名の追加の処理要求を受信した場合には、宛先リストに参加者名を追加して表示する。また、表示制御部１７は、参加者名の削除の処理要求を受信した場合には、宛先リストから処理要求にかかる参加者名を削除する。以上で、処理が完了する。
【０２１１】
例えば、図１１に示す宛先リスト管理ＤＢ５００４の例においては、伝送端末１０ｂａを宛先端末とする端末ＩＤとして、ステップＳ９４において、「０１ａａ」、「０１ｃｂ」、「０１ｄｂ」が抽出され、ステップＳ９５においては、これらの端末ＩＤで識別される各伝送端末１０に対し、処理要求と参加者名と、端末ＩＤとが送信される。
【０２１２】
図２６は、参加者名追加の処理要求とともに参加者名を受信した後の、伝送端末１０ａａのディスプレイ１２０ａａに表示される宛先リストの表示例を示す図である。伝送端末１０ａａは、宛先リスト表示後に、送受信部１１が参加者の追加の処理要求とともに参加者名「Taro  Osaka」と、端末ＩＤ「０１ｂａ」とを受信すると、表示制御部１７は、図２６に示すように、端末ＩＤ「０１ｂａ」に対応付けて、参加者名「Taro  Osaka」の表示を追加する。さらに、送受信部１１が伝送端末１０ｄｂから参加者の追加の処理要求とともに参加者名「Raquel  Rodrriguez」と、端末ＩＤ「０１ｄｂ」を受信すると、図２６に示すように、端末ＩＤ「０１ｄｂ」に対応付けて、参加者名「Raquel  Rodrriguez」の表示を追加する。
【０２１３】
また、図２６に示すように、参加者名が表示された状態で、送受信部１１が、参加者名の削除の処理要求とともに参加者名「Taro  Osaka」と、端末ＩＤ「０１ｂａ」を受信した場合には、表示制御部１７は、端末ＩＤ「０１ｂａ」に対応付けて表示されている参加者名「Taro  Osaka」を削除する。
【０２１４】
このように、第３の実施の形態にかかる伝送システム１においては、宛先リストにおいても、参加者名を表示することができる。したがって、各ユーザは、宛先端末の伝送状態だけでなく、参加者名を容易に把握することができる。
【０２１５】
さらに、第３の実施の形態にかかる伝送システム１においては、宛先リストの表示中に、所定の宛先端末の参加者名のみを表示することもできる。
【０２１６】
図２７は、所定の宛先端末の参加者名を表示する動作を示すシーケンス図である。まず、伝送端末１０ａａにおいて、ユーザは、操作ボタン１０８等の操作により、参加者名の表示を希望する宛先端末を選択する。これにより、操作入力受付部１２は、宛先端末の選択入力を受け付ける（ステップＳ１０１）。次に、送受信部１１は、宛先端末の端末ＩＤを伝送管理装置５０に送信する（ステップＳ１０２）。
【０２１７】
伝送管理装置５０においては、送受信部５１が宛先端末の端末ＩＤを受信すると、ユーザ名管理部５６は、端末管理テーブル（図１０参照）を検索し、端末ＩＤを検索キーとし、端末ＩＤに対応付けられている参加者名を読み出す（ステップＳ１０３）。次に、送受信部５１は、読み出された参加者名を宛先端末の端末ＩＤの送信元の伝送端末１０ａａに送信する（ステップＳ１０４）。
【０２１８】
伝送端末１０ａａにおいて、送受信部１１が参加者名を受信すると、ステップＳ１０１において、選択入力を受け付けた宛先端末の端末ＩＤに対応付けて、受信した参加者名をディスプレイ１２０ａａに表示する（ステップＳ１０５）。以上で、処理が完了する。
【０２１９】
例えば、伝送端末１０ａａのディスプレイ１２０ａａに、図２４に示す宛先リストが表示された状態において、ユーザが端末ＩＤ「０１ｂａ」の端末１０ｂａを選択したとする。この場合には、図２７に示す処理により、伝送端末１０ａａは、端末ＩＤ「０１ｂａ」を伝送管理装置５０に送信する（ステップＳ１０２）。そして、伝送管理装置５０は、端末管理テーブル（図１０参照）を参照し、端末ＩＤ「０１ｂａ」に対応付けられている参加者名「Taro  Osaka」を読み出し（ステップＳ１０３）、これを伝送端末１０ａａに送信する。伝送端末１０ａａは、図２８に示すように、宛先リストに参加者名「Taro  Osaka」を追加して表示する（ステップＳ１０５）。なお、図２８に示す例においては、宛先リストの表示画面の下部に自端末の端末ＩＤと、端末名と、参加者名が表示されている。
【０２２０】
第３の実施の形態にかかる伝送システム１のこれ以外の構成および動作は、他の実施の形態にかかる伝送システム１の構成および動作と同様である。
【０２２１】
なお、他の例としては、図２９に示すように、宛先リスト枠１２００−１とは別に、フォーカス領域１２００−２を設け、フォーカス領域１２００-２に、選択された宛先端末の伝送状態、端末ＩＤ、参加者名などの詳細情報を表示してもよい。さらに、フォーカス領域１２００−２のフォントサイズを宛先リスト枠１２００−１のフォントサイズに比べて大きくする。このように、フォーカス領域１２００−２の位置を固定し、さらにフォントサイズを他の領域に比べて大きくすることにより、ユーザは、選択された宛先端末に関する情報を容易に把握することができる。
【０２２２】
〔実施形態の補足〕
上記実施形態における中継装置３０、伝送管理装置５０及びプログラム提供装置９０は、単一のコンピュータによって構築されてもよいし、各部（機能又は手段）を分割して任意に割り当てられた複数のコンピュータによって構築されていてもよい。
【０２２３】
また、プログラム提供装置９０が単一のコンピュータによって構築されている場合には、プログラム提供装置９０によって送信されるプログラムは、複数のモジュールに分けて送信されるようにしてもよいし、分けないで送信されるようにしてもよい。
【０２２４】
更に、プログラム提供装置９０が複数のコンピュータによって構築されている場合には、複数のモジュールが分けられた状態で、各コンピュータから送信されるようにしてもよい。
【０２２５】
また、上記各実施形態の伝送端末制御プログラム、中継装置用プログラム又は伝送管理プログラムが記憶されたＣＤ−ＲＯＭ等の記録媒体、並びに、これらプログラムが記憶されたＨＤ２０４及びＨＤ２０４を備えたプログラム提供装置９０は、いずれもプログラム製品（Program  Product）として、国内又は国外へ、上記伝送端末制御プログラム、中継装置用プログラム及び伝送管理プログラムが利用者等に提供される場合に用いられる。
【０２２６】
また、図１０において、伝送端末１０のＩＰアドレスを管理することとしたが、これに限るものではなく、伝送ネットワーク２上で伝送端末１０を特定するための情報であればよく、例えば、伝送端末１０のＦＱＤＮ（Fully  Qualified  Domain  Name）を管理してもよい。この場合、周知のＤＮＳ（Domain  Name  System）サーバによって、ＦＱＤＮに対応するＩＰアドレスが取得されることになる。
【０２２７】
また、上記実施形態では、伝送システム１の一例として、ビデオ会議システムの場合について説明したが、これに限るものではなく、ＩＰ（Internet  Protocol）電話や、インターネット電話等の電話システムであってもよい。
【０２２８】
また、伝送システム１は、カーナビゲーションシステムであってもよい。この場合、例えば、伝送端末１０の一方が自動車に搭載されたカーナビゲーション装置に相当し、伝送端末１０の他方が、カーナビゲーションを管理する管理センターの管理端末若しくは管理サーバ、又は他の自動車に搭載されているカーナビゲーション装置に相当する。また、伝送システム１は、携帯電話機によって伝送端末１０を構成してもよい。
【０２２９】
また、上記実施形態では、コンテンツデータの一例として、画像データ及び音データについて説明したが、これに限るものではなく、触覚（touch）データであってもよい。この場合、一方の伝送端末側で利用者が接触した感覚が、他方の伝送端末側に伝達される。
【０２３０】
更に、コンテンツデータは、嗅覚（smell）データであってもよい。この場合、一方の伝送端末側の匂い（臭い）が、他の伝送端末側に伝達される。また、コンテンツデータは、画像データ、音データ、触覚データ及び嗅覚データのうち、少なくとも１つのデータであればよい。
【０２３１】
また、上記実施形態では、伝送システム１によってビデオ会議をする場合について説明したが、これに限るものではなく、打ち合わせ、家族間や友人間等の一般的な会話、又は、一方向での情報の提示に使用されても構わない。
【符号の説明】
【０２３２】
１  伝送システム
１０  伝送端末
１１  送受信部
１２  操作入力受付部
１５ａ  音入力部
１５ｂ  音出力部
１７  表示制御部
１９  記憶・読出処理部
２２  ＮＦＣタグ
３０  中継装置
５０  伝送管理装置
５１  送受信部
５２  端末認証部
５３  状態管理部
５４  端末抽出部
５５  端末状態取得部
５６  ユーザ名管理部
５９  記憶・読出処理部
７０  ルータ
９０  プログラム提供装置
１１２  カメラ
１１３  撮像素子Ｉ／Ｆ
１１４  マイク
１２０  ディスプレイ
２２１  通信部
２２２  記憶部
１０００  記憶部
５０００  記憶部
５００２  端末認証管理ＤＢ
５００３  端末管理ＤＢ
５００４  宛先リスト管理ＤＢ
【先行技術文献】
【特許文献】
【０２３３】
【特許文献１】特許第４６９６４８１号公報
【図１】
2014060548.tif 000003
【図２】
2014060548.tif 000004
【図３】
2014060548.tif 000005
【図４】
2014060548.tif 000006
【図５】
2014060548.tif 000007
【図６】
2014060548.tif 000008
【図７】
2014060548.tif 000009
【図８】
2014060548.tif 000010
【図９】
2014060548.tif 000011
【図１０】
2014060548.tif 000012
【図１１】
2014060548.tif 000013
【図１２】
2014060548.tif 000014
【図１３】
2014060548.tif 000015
【図１４】
2014060548.tif 000016
【図１５】
2014060548.tif 000017
【図１６】
2014060548.tif 000018
【図１７】
2014060548.tif 000019
【図１８】
2014060548.tif 000020
【図１９】
2014060548.tif 000021
【図２０】
2014060548.tif 000022
【図２１】
2014060548.tif 000023
【図２２】
2014060548.tif 000024
【図２３】
2014060548.tif 000025
【図２４】
2014060548.tif 000026
【図２５】
2014060548.tif 000027
【図２６】
2014060548.tif 000028
【図２７】
2014060548.tif 000029
【図２８】
2014060548.tif 000030
【図２９】
2014060548.tif 000031